(57)【要約】【課題】  カッターナイフないしそのホルダにつき、作業者による把持性を更に向上するのに有効な技術を提供する。【解決手段】    カッターナイフ１のホルダ２であって、把持部１０は、カッター刃のスライド方向を長手方向とする長尺体として形成されるとともに、作業者が手Ｈで把持部１０を把持した状態において、当該作業者の掌の母指球と小指球の間に形成される掌凹部ＰＶに対して略面接触可能な突状曲面部１５を有することを特徴とするカッターナイフ１のホルダ２。【選択図】      図６
2020162938.tif 000002
【特許請求の範囲】
【請求項１】
カッターナイフのホルダであって、
カッター刃をスライド可能に収容する刃収容部と
作業者の手での把持に供される把持部と、を有し、
前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有し、
前記中間領域は  作業者が手で前記把持部を把持した状態における当該作業者の掌の母指球と小指球の間に形成される掌凹部に対して略面接触可能な突状曲面部を有し、
前記第１端部領域は、前記カッター刃による切断作業が遂行される場合に、作業者の指圧による押圧力が作用する押圧部を有する、
ことを特徴とするカッターナイフのホルダ。
【請求項２】
請求項１に記載のカッターナイフのホルダであって、前記掌凹部は、作業者の母指線、近位手掌線および遠位手掌線の少なくとも一部を含んで構成されることを特徴とするカッターナイフのホルダ。
【請求項３】
請求項１または２に記載のカッターナイフのホルダであって、
前記突状曲面部は、前記長手方向において前記把持部の中央よりも前記第２端部領域に近接した位置に設けられることを特徴とするカッターナイフのホルダ。
【請求項４】
請求項１から３のいずれか１項に記載のカッターナイフのホルダであって、
前記突状曲面部は、作業者の母指線、近位手掌線および遠位手掌線と交差する方向につき、所定の曲率および膨出角度を有する膨出部を有し、前記膨出部が、作業者が手で前記把持部を把持した状態における前記掌凹部に対して略面接触するように構成されることを特徴とするカッターナイフのホルダ。
【請求項５】
請求項４に記載のカッターナイフのホルダであって、
前記膨出部の所定の曲率は、略Ｒ１０〜Ｒ２１の範囲内のいずれかとされていることを特徴とするカッターナイフのホルダ。
【請求項６】
請求項４に記載のカッターナイフのホルダであって、
前記膨出部の所定の曲率は、略Ｒ１３〜Ｒ１６の範囲内のいずれかとされていることを特徴とするカッターナイフのホルダ。
【請求項７】
請求項４〜６までのいずれか１項に記載のカッターナイフのホルダであって、
前記膨出部の膨出角度は、略θ１＝１１５°〜１３５°の範囲内のいずれかとされていることを特徴とするカッターナイフのホルダ。
【請求項８】
請求項４〜６までのいずれか１項に記載のカッターナイフのホルダであって、
前記膨出部の膨出角度は、略θ１＝１２０°〜１２５°の範囲内のいずれかとされていることを特徴とするカッターナイフのホルダ。
【請求項９】
請求項４〜９までのいずれか１項に記載のカッターナイフのホルダであって、
前記突状曲面部は、前記長手方向において、前記膨出部から前記第１端部領域側に延在する第１突状曲面部と、前記膨出部から前記第２端部領域側に延在する第２突状曲面部を有し、
前記第１突状曲面部は、前記長手方向における前記膨出部から前記第１端部領域までの長さの略５０％以上かつ略９０％以下となるように設定されるとともに、前記第２突状曲面部は、前記長手方向における前記膨出部から前記第２端部領域までの長さの略５０％以上かつ９０％以下となるように設定されていることを特徴とするカッターナイフのホルダ。
【請求項１０】
請求項９に記載のカッターナイフのホルダであって、
前記長手方向に対する前記第１突状曲面部の傾斜角よりも、前記長手方向に対する前記第２突状曲面部の傾斜角が大きくなるように設定されていることを特徴とするカッターナイフのホルダ。
【請求項１１】
請求項１から１０のいずれか１項に記載のカッターナイフのホルダであって、
前記第２端部領域は、
把持状態における第５指および小指球が形成する環状領域に面接触可能に構成された第２端部領域側把持領域を有し、前記第２端部側把持領域は、把持状態における第５指が小指球に接触または近接可能な寸法設定とされていることを特徴とするカッターナイフのホルダ。
【請求項１２】
請求項１から１１のいずれか１項に記載のカッターナイフのホルダであって、
前記第１端部領域における前記押圧部と対向する側には、作業者が前記押圧部を第１指で押圧した場合に、第２指を係止可能な第２指係止部を有することを特徴とするカッターナイフのホルダ。
【請求項１３】
請求項１から１２のいずれか１項に記載のカッターナイフのホルダであって、
前記第２端部領域側には、先端突出部を有するスクレーパが設けられており、
スクレーパによる作業遂行のための把持状態における、前記突状曲面部は、作業者の手指への当接が回避された手指当接回避領域に設けられることを特徴とするカッターナイフ。
【請求項１４】
請求項１３に記載のカッターナイフのホルダであって、
前記スクレーパの先端突出部は、略Ｒ＝２．０〜２．５の範囲内のいずれかの曲率を有するように構成されていることを特徴とするカッターナイフのホルダ。
【請求項１５】
請求項１３に記載のカッターナイフのホルダであって、
前記スクレーパの先端突出部は、略Ｒ＝２．１〜２．４の範囲内のいずれかの曲率を有するように構成されていることを特徴とするカッターナイフのホルダ。
【請求項１６】
請求項１３〜１５のいずれか１項に記載のカッターナイフのホルダであって、
前記スクレーパの先端突出部は、略θ２＝４０°〜６０°の範囲内のいずれかの傾斜角を有するように構成されていることを特徴とするカッターナイフのホルダ。
【請求項１７】
請求項１３〜１５のいずれか１項に記載のカッターナイフのホルダであって、
前記スクレーパの先端突出部は、略θ２＝４４°〜５６°の範囲内のいずれかの傾斜角を有するように構成されていることを特徴とするカッターナイフのホルダ。
【請求項１８】
請求項１から１７のいずれか１項に記載のカッターナイフのホルダと、前記刃収容部にスライド可能に収容されたカッター刃を有することを特徴とするカッターナイフ。
【発明の詳細な説明】
【技術分野】
【０００１】
本発明は、カッターナイフのホルダおよびカッターナイフにおける、人間工学に基づいた把持性能の向上技術に関する。
【背景技術】
【０００２】
カッターナイフ（ないしそのホルダ）に関する構成について、例えば特開２０１２−４０１４２号公報（特許文献１）に開示されたものが知られている。
当該特許文献１では、カッター刃による切断作業に加えて、ドライバー機能を更に付加することで、カッターナイフの汎用性を向上する技術が採用されている。
【０００３】
さらに上記特許文献１では、その図３、図４等に示されるように、カッターナイフの長手方向におけるホルダの断面を湾曲状に形成することで、作業者が把持し易いホルダに関する開示がなされている。
【０００４】
上記特許文献１に開示された技術では、確かに作業者の把持性を向上させる工夫がなされているが、カッターナイフは、手指によって比較的強い押圧力を作用させた状態で使用に供されることから、さらに作業者の把持性向上を追求する要請がある。かかる要請は、とりわけ長時間継続的に作業を行うプロフェッショナルユース領域において顕著である。
【特許文献１】特開２０１２−４０１２号公報
【発明の開示】
【発明が解決しようとする課題】
【０００５】
本発明は、かかる点に鑑みてなされたものであり、カッターナイフないしそのホルダにつき、作業者による把持性を更に向上するのに有効な技術を提供することを課題とする。
【課題を解決するための手段】
【０００６】
前記課題を解決するために、本発明が構成される。本発明においては、カッター刃をスライド可能に収容する刃収容部と、作業者の手での把持に供される把持部を有するカッターナイフのホルダが構成される。前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有する。また前記中間領域は  作業者が手で前記把持部を把持した状態における当該作業者の掌の母指球と小指球の間に形成される掌凹部に対して略面接触可能な突状曲面部を有する。また前記第１端部領域は、前記カッター刃による切断作業が遂行される場合に、作業者の指圧による押圧力が作用する押圧部を有する。
【０００７】
本発明に係るカッターナイフのホルダは、一般向け汎用品ないしプロフェッショナルユース品のいずれにも適用可能であるが、後述するように、人間工学的な把持特性を追求した特徴に鑑み、とりわけ長時間継続的に作業を行うプロフェッショナルユース品への親和性が高い。
前記刃収容部は、カッター刃を所定の弾性体の付勢力を利用して刃収容部に位置決め保持しつつ、当該付勢力に抗するマニュアル操作を介してスライド可能に構成されてもよい。あるいは、ネジの螺着動作を介して刃収容部に位置決め保持しつつ、当該螺着解除動作を介してスライド可能に構成されてもよい。
【０００８】
前記長尺体の「中間領域」は、当該長尺体の幾何学的中心領域に限定されるものではなく、前記第１端部領域および第２端部領域の間のエリアを広く包含する趣旨である。
前記長尺体の「第１端部領域」は、長手方向においてカッター刃先端に近接する側の端部領域として定義されるが、当該「近接」とは、スライド可能に収容されたカッター刃の先端に近い側の端部に相当し、換言すれば、カッター刃を用いた切断作業をする場合の長尺体の前方側端部に相当する。
【０００９】
これに対し、前記長尺体の「第２端部領域」は、長手方向においてカッター刃先端から離間する側端部領域として定義されるが、当該「離間」とは、長手方向において、第１端部領域よりも遠方側の端部に相当し、換言すれば、カッター刃を用いた切断作業をする場合の長尺体の後方側端部に相当する。
【００１０】
作業者の掌の「母指球」は、当該作業者の手掌における親指の根元側に、当該親指（第１指）の延在方向に概ね沿って形成される丘状部分に相当し、「小指球」は、当該作業者の掌における小指の根元側に、当該小指（第５指）の延在方向に概ね沿って形成される丘状部分に相当する。また「掌凹部」は、当該作業者の掌において、前記母指球と小指球という二つの丘状部分の間に形成される窪地（盆地）状の凹状領域（低位領域）に相当する。
【００１１】
そして本発明における突状曲面部は、掌凹部に対して略面接触可能に構成されている。「面接触」とは、典型的には、突状曲面部における曲面が掌凹部に密着状に接触することで、当該突状曲面部と掌凹部との間の隙間が極小化される態様がこれに該当する。隙間の極小化の観点から、突状曲面部と掌凹部の間につき、部分的な空隙が完全に排除された形態、ないし略排除されたに等しい形態のいずれも包含する。また当該ホルダが使用される国、性別、年齢等の影響因子を考慮して、想定される作業環境に応じて突状曲面部の面接触性能を適宜調整することが可能である。例えば、大柄な作業者が多い国や領域では、突状曲面部を相対的に大きく形成し、逆に小柄な作業者が多い国や領域では、突状曲面部を相対的に小さく形成する等のローカライゼーションがこれに該当する。
【００１２】
また本発明における押圧部は、前記第１端部領域に設けられ、前記カッター刃による切断作業が遂行される場合に、作業者の指圧による押圧力が作用するように構成される。
典型的には、カッター刃による切断作業において、第２指〜第５指を使って把持部をしっかり握った状態で、第１指（親指）の指圧を押圧部に作用させることにより、切断力がコントロールされつつ切断作業が遂行する態様がこれに該当する。
【００１３】
このとき、上記の通り、把持部の中間領域に設けられた突状曲面部が作業者の掌凹部に略面接触して、しっかり密接した状態が維持されるため、作業者は、ホルダの把持に余計な注意力を払う必要がなく、押圧部に指圧をかけて切断作業に集中することができる。例えば上記従来技術においても、把持部断面を湾曲形状とすることで作業者の把持性がある程度は確保できていたが、本発明においては、把持部の中間領域における突状曲面部を、作業者の掌凹部に略面接触させて密接状態が維持されるように構成することで、従来技術よりも更に踏み込んだ、人間工学訴求式のホルダ構成が確保されることになる。
【００１４】
以上、人間工学的に優れた構造を有するホルダを構成することで、「把持部が掌に密着する」―「握りやすい」−「把持に余計な労力がかからず、押圧に集中し易い」−「切断作業が遂行し易い」−「把持に無駄な労力が不要なので長時間作業で疲れにくい」という作業シーケンスが確保されることになり、カッターナイフによる作業性向上に資することが可能となる。
【００１５】
上記掌凹部は、典型的には、作業者の母指線、近位手掌線および遠位手掌線の少なくとも一部を含んで構成される。母指線は、母指球の近傍を当該母指球に沿って延在する線であって生命線とも称呼される。近位手掌線は母指線から分岐状に延在する線であって知能線とも称呼される。遠位手掌線は近位手掌線と略平行に延在する線であって感情線とも称呼される。「少なくとも一部を含んで」とは、掌凹部がこれら三本の線の一部を含む態様、三本の線の全部を含む態様、各線の一部を含む態様のいずれも好適に包含する。
【００１６】
前記突状曲面部は、前記長手方向において、前記把持部の中央よりも前記第２端部領域に近接した位置に設けられることが好ましい。一般に、カッター刃によって切断作業を遂行する場合、手の構造上、把持部の後方側を把持しつつ、前方側に指圧による押圧力を作用させる態勢が合理的となり易い。この点に鑑み、前記突状曲面部について、把持部の中央よりも第２端部領域に近接した位置、換言すれば把持部の後方側に配置することにより、カッター刃による切断作業の容易性を担保することができる。
【００１７】
また前記突状曲面部は、作業者の母指線、近位手掌線および遠位手掌線と交差する方向につき、所定の曲率および膨出角度を有する膨出部（膨出領域とも称呼）を有することが好ましい。そして前記膨出部につき、作業者が手で前記把持部を把持した状態における前記掌凹部に対して略面接触するように構成することが好ましい。このように構成することで、突状曲面部の膨出部が掌凹部に略面接触し、これによって把持性の向上が図られることになる。なお、上記「作業者の母指線、近位手掌線および遠位手掌線と交差する方向」は、作業者が把持部を把持した場合に、当該把持部の長尺方向と概ね交差する方向（例えば概ね直交する方向）に相当する。
【００１８】
上記把持性向上の見地より、前記膨出部の所定の曲率は、略Ｒ１０〜Ｒ２１の範囲内のいずれかとすることが好ましい。特に、曲率を略Ｒ１３〜Ｒ１６の範囲内のいずれかとすることで把持性の更なる向上が図られる。
【００１９】
また前記膨出部の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。
【００２０】
さらに前記突状曲面部は、前記長手方向において、前記膨出部から前記第１端部領域側に延在する第１突状曲面部と、前記膨出部から前記第２端部領域側に延在する第２突状曲面部を有するように構成することが好ましい。この場合、前記第１突状曲面部は、前記長手方向における前記膨出部から前記第１端部領域までの長さの略５０％以上かつ略９０％以下となるように設定することが好ましい。また前記第２突状曲面部は、前記長手方向における前記膨出部から前記第２端部領域までの長さの略５０％以上かつ９０％以下となるように設定することが好ましい。このように構成することで、膨出部が掌凹部に略面接触した状態において、作業者の手の構造に対して、より適合性の高い把持構造を確保することができる。
【００２１】
また前記長手方向に対する前記第１突状曲面部の傾斜角よりも、前記長手方向に対する前記第２突状曲面部の傾斜角が大きくなるように設定することが好ましい。このように構成することで、膨出部が掌凹部に略面接触した状態において、把持状態とされた作業者の手の形状に寄り添った把持構造を確保することができる。
【００２２】
さらに前記第２端部領域につき、把持状態における第５指および小指球が形成する環状領域に面接触可能に構成された第２端部領域側把持領域を有するとともに、前記第２端部側把持領域については、把持状態における第５指が小指球に接触または近接可能な寸法設定とすることが好ましい。このように構成することで、作業者が第５指（小指）側の環状領域を第２端部側把持領域に密着させた状態で、かつ第５指側の握力をしっかり働かせながら把持部を持つことができるようになり、把持性の一層の向上が図られる。特に、カッターナイフの多機能化の見地より、カッターナイフの後端側に別種の機能部材（例えば後述するスクレーパ）を設けるケースがあるが、このような場合、当該別種の機能部材の配置スペースの関係上、第２端部領域側の寸法が増大し易く、かかる寸法増大の結果、把持状態における作業者の第５指を小指球に近接させにくくなり、第５指側の握力をしっかり作用させることが困難な状況が想定される。本発明によれば、かかる懸念が払しょくされて、把持性能の向上が確実に担保されることになる。
【００２３】
さらに前記第１端部領域における前記押圧部と対向する側に、作業者が前記押圧部を第１指で押圧した場合に、第２指を係止可能な第２指係止部を設けることが好ましい。カッター刃で切断作業を行う場合、第２指（人差し指）〜第５指（小指）で把持部を握りつつ、第１指（親指）で押圧部に指圧を作用させることが多いと想定されるが、この場合、第２指を第２指係止部によって係止することで、指がずれて作業性を悪化させる懸念が払しょくされることになる。
【００２４】
また、カッターナイフの機能性向上ないし多機能化の見地より、前記第２端部領域側に、先端突出部を有するスクレーパを設けることが好ましい。スクレーパは「へら」とも称呼され、作業対象に対して刺突作業、あるいは刺突に続いて切断作業を遂行するための機能部材である。
第２端部領域側をカッター刃とは異なる機能部材に割り当てる関係で、スクレーパ使用時には、作業者は、上記把持部を前後逆にして把持することになるが。このとき、上記した突状曲面部が、スクレーパ使用時に作業者による把持の邪魔にならないようにすることが好ましい。そこで本発明では、スクレーパによる作業遂行のための把持状態において、前記突状曲面部は、作業者の手指への当接が回避された手指当接回避領域に設けられるように構成されている。これにより、カッター刃による作業時の把持性向上と、スクレーパによる作業時の支障回避が両立されることになる。
【００２５】
上記刺突作業に際しては、スクレーパの刺突性能があまりに高過ぎると、作業中に商品等を不用意に傷つける可能性が懸念される。一方、かかるリスクを回避してスクレーパの刺突性能を下げると、今度は作業性自体が低下してしまう。このようなスクレーパの極端な鋭利性回避と、鋭利性回避に起因する作業性低下のトレードオフを合理的に解決すべく、前記スクレーパの先端突出部について、略Ｒ＝２．０〜２．５の範囲内のいずれかの曲率を有するように構成することが好ましい。とくに前記スクレーパの先端突出部を、略Ｒ＝２．１〜２．４の範囲内のいずれかの曲率を有するように構成することで上記問題の解決が一層確実に図られる。
【００２６】
同様の見地により、前記スクレーパの先端突出部は、略θ２＝４０°〜６０°の範囲内のいずれかの傾斜角を有するように構成することが好ましい。さらに前記スクレーパの先端突出部につき、略θ２＝４４°〜５６°の範囲内のいずれかの傾斜角を有するように構成することで上記問題の解決が一層確実に図られる。
【００２７】
さらに本発明では、上記カッターナイフのホルダと、前記刃収容部にスライド可能に収容されたカッター刃を有するカッターナイフを構成することが好ましい。かかる構成により、人間工学的配慮に富んだ、特にプロフェッショナルユースの領域でも確実に使用性を担保できるカッターナイフが提供されることになる。
【発明を実施するための最良の形態】
【００２８】
本発明の実施形態にについて図１〜図８に基づいて説明する。
上記の通り、本発明は、カッターナイフないしそのホルダにつき、人間工学に基づいた把持性能の向上に関する技術であり、まず把持に関わる作業者の手の構造について、先に説明を行う。
【００２９】
（人間工学的観点に基づく、作業者の手の構造確認）
図１は、作業者が手Ｈを開いて掌を向けた状態の模式的構造が示される（図１では便宜上右手が示されている）。作業者の手指につき、親指（ないし母指）に相当する第１指をＦ１（Ｆｉｎｇｅｒ−１）、人差し指（ないし示指）に相当する第２指をＦ２、中指に相当する第３指をＦ３、薬指（ないし環指）に相当する第４指をＦ４、小指に相当する第５指をＦ５と定義する。
【００３０】
さらに作業者の掌部分につき、第１指Ｆ１の根元側に形成される丘状部分を母指球ＰＨ１（Ｐａｌｍ  Ｈｉｌｌ−１）、第５指Ｆ５の根元側に形成される丘状部分を小指球ＰＨ２と定義する。
【００３１】
また作業者の掌部分につき、母指線をＰＬ１（Ｐａｌｍ  Ｌｉｎｅ−１）、近位手掌線をＰＬ２、遠位手掌線（ないし感情線とも称呼）をＰＬ３と定義する。母指線ＰＬ１は、母指球ＰＨ１の近傍を当該母指球に沿って延在する線であって，「母指球線」、「母指球皮線」あるいは「生命線」とも称呼される。近位手掌線はＰＬ２，母指線ＰＬ１から分岐状に延在する線であって、「近位手掌皮線」、「知能線」とも称呼される。遠位手掌線ＰＬ３は、近位手掌線ＰＬ２と略平行に延在する線であって、「遠位手掌皮線」、「感情線」とも称呼される。
【００３２】
さらに、母指球ＰＨ１および小指球ＰＨ２の間に、母指線ＰＬ１、近位手掌線ＰＬ２、遠位手掌線ＰＬ３を含んで形成される窪地状（盆地状）の凹状低位領域につき、掌凹部ＰＶ（Ｐａｌｍ  Ｖａｌｌｅｙ）と定義する。
本実施例では、掌凹部ＰＶは、母指線ＰＬ１、近位手掌線ＰＬ２、遠位手掌線ＰＬ３を全て含んだ状態で定義されるが、人種や生活環境等による掌の構造上の相違に応じて、上記母指線ＰＬ１、近位手掌線ＰＬ２、遠位手掌線ＰＬ３の少なくとも一部を含めば足りるものとする。
【００３３】
上記の構造を有する作業者の手Ｈにつき、以下に詳述するカッターナイフを把持しようと手指を曲折した状態が図２に示される。
すなわち第１指Ｆ１を曲折するとともに、第２指Ｆ２〜第５指Ｆ５を並列状に曲折することで手Ｈが把持状態に置かれる。このとき、第２指Ｆ２と母指球ＰＨ１が形成する母指球側環状把持部をＲ１と定義し、第５指Ｆ５と小指球ＰＨ２が形成する小指球側環状把持部をＲ２と定義する。このとき、母指球側環状把持部Ｒ１と小指球側環状把持部Ｒ２の間には、上記のように、母指線ＰＬ１、近位手掌線ＰＬ２、遠位手掌線ＰＬ３を含んだ状態で掌凹部ＰＶが形成されている。
【００３４】
（カッターナイフの全体構成）
次に本発明の実施の形態であるカッターナイフ１およびホルダ２の構造について、図３〜図８を用いて説明する。なおカッターナイフ１は、本発明における「カッターナイフ」の一例であり、ホルダ２は、本発明における「ホルダ」の一例に相当する。
図３は、カッターナイフ１およびホルダ２の全体構成を示した正面模式図である。図４は、カッターナイフ１およびホルダ２を上面から視た状態を示した平面模式図である。また図５、図６は、人間工学的配慮に基づく、ホルダ２の特徴的構造を示した断面模式図および斜視模式図である。また図７は、当該カッターナイフ１を切断作業に供するために把持した状態を示した模式図であり、図８は、当該カッターナイフ１をスクレーパ作業に供するために前後逆に把持した状態を示した模式図である。
【００３５】
図３に示すように、カッターナイフ１は、ホルダ２およびカッター刃５有する。カッター刃５としては所定の規格品が用いられており、便宜上詳細な説明を省略する。
ホルダ２は、刃収容部３および把持部１０を有する。刃収容部３はカッター刃５を収容可能に構成された長尺状の金属製の部材である。刃収容部３にはスライダ６が設けられており、当該スライダ６は係合部７を介して、カッター刃５を一体状に係止する。そしてカッター刃５は、刃収容部３に収容された状態で、スライダ６の手動操作に応じて、長軸方向ＬＤ１に摺動動作可能とされている。
【００３６】
本実施形態では、スライダ６と刃収容部３との間に、特に図示しない金属製の弾性体が介在配置されており、当該弾性体がラッチ４に係合することで、カッター刃５の位置決め（刃収容部３からの突出位置ないし刃収容部３内への完全収納）が行われる。なおスライダ６およびカッター刃５の摺動動作等については周知事項であって、本明細書ではその詳細な説明を便宜上省略する。
【００３７】
（把持部１０の構成）
ホルダ２は、カッターナイフ１を作業者が手で把持することに供される把持部１０を有する。把持部１０の詳細な構造が、図３〜図５に示される。
把持部１０は、複数の把持溝部１７が所定距離毎に形成された状態で、長手方向ＬＤ１に延在し、第１端部領域１１、第２端部領域１２、中間領域１３を有する長尺体１４として構成される。なお、説明の便宜上、把持溝部１７は図４においては図示を省略されている。
【００３８】
中間領域１３は、第１端部領域１１と第２端部領域１２の間の領域として定義されている。そして、図４、図５に示されるように、当該中間領域１３には突状曲面部１５が形成される。突状曲面部１５は、把持部中央領域Ｃよりも第２端部領域１２に近接する側を主体として形成されるとともに、膨出部１６を有する。膨出部１６は、把持部中央領域Ｃよりも第２端部領域１２に近接する側に設けられるとともに、その断面構造が図５に模式的に示される。
【００３９】
（膨出部１６の構成）
図４および図５に示す膨出部１６は、以下に述べる人間工学的視点に立脚した把持性向上の見地より、略Ｒ１０〜Ｒ２１の範囲内のいずれかの曲率となるように設定することが好ましい。特に、曲率を略Ｒ１３〜Ｒ１６の範囲内のいずれかとすることで把持性の更なる向上が図られる。本実施の形態では、膨出部１６の曲率は、一例としてＲ１５に設定されている。
【００４０】
また同様に把持性向上の見地より、膨出部１０の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。本実施の形態では、膨出部１６の膨出角度θ１（図５参照）は、一例として１２２°に設定されている。
【００４１】
（人間工学的視点による膨出部１６の構成）
上記膨出部１６の曲率および／または膨出角度の設定により、本実施の形態に係るホルダ２は、人間工学的視点に基づく把持性の著しい向上が図られている。これを説明するべく、膨出部１６の特徴的構成が図６に詳細に示される。なお図６では、説明の便宜上、把持部１０を、膨出部１６の位置する箇所の断面とともに模式的に示している。図６に示すように、本実施形態に係るカッターナイフ１ないしホルダ２を作業者が手Ｈで把持した場合、その掌凹部ＰＶに対して、把持部１０の突状曲面部１５における膨出部１６が略面接触状に密着して当接することになる。とりわけ図１、図２に示す母指線ＰＬ１、近位手掌線ＰＬ２、遠位手掌線ＰＬ３と交差する方向（すなわち図３に示す把持部１０においては長手方向ＬＤ１と交差する方向）に関して、膨出部１６が掌凹部ＰＶに極めて高度に密着することが可能とされ、人間工学的に優れた把持性能が付与されることになる。
【００４２】
なお突状曲面部１５は、図４に示すように、長手方向ＬＤ１において、膨出部１６から第１端部領域１１側に延在する第１突状曲面部１５Ａと、膨出部１６から第２端部領域１２側に延在する第２突状曲面部１５Ｂとに区分することができる。この場合、第１突状曲面部１５Ａの長さＬ１１は、膨出部１６から第１端部領域１１までの長さ（距離）Ｌ１２の略５０％〜略９０％の範囲で設定することが好ましい。本実施の形態では、７５％となるように設定されている。
【００４３】
また第２突状曲面部１５Ｂの長さＬ２１は、膨出部１６から第２端部領域１２までの長さＬ２２の略５０％〜略９０％の範囲で設定することが好ましい。本実施の形態では７５％となるように設定されている。
【００４４】
かかる構成により、膨出部１６が掌凹部ＰＶに面接触した状態において、作業者の手の構造に対して、より適合性の高い把持構造を確保することができる。すなわち第１突状曲面部１５Ａは、図２に示す作業者の把持状態の手において、掌凹部ＰＶから母指球側環状把持部Ｒ１までの領域に対して十分に面接触を維持することが可能となる（図２等も併せて参照）。一方、第２突状曲面部１５Ｂは、掌凹部ＰＶから小指球側環状把持部Ｒ２までの領域に対して十分に面接触を維持することが可能となる。
【００４５】
また図４に示すように、本実施の形態では、長手方向に対する第１突状曲面部１５Ａの傾斜角よりも、長手方向に対する第２突状曲面部１５Ｂの傾斜角が大きくなるように設定されている。これにより、膨出部１６が掌凹部ＰＶに面接触した状態において、把持状態とされた作業者の手の形状に、更に寄り添った把持構造を確保することができる。
【００４６】
（押圧部２１および第２指係止部２２の構成）
更に図３に示すように、把持部１０の第１端部領域１１には、押圧部２１および第２指係止部２２が形成されている。押圧部２１は、カッター刃５を用いて切断作業を遂行する場合に、作業者が手指でカッターナイフ１を作業対象へと押圧するための領域として定義される。作業者は、典型的には、第１指Ｆ１で押圧部２１を押圧する使用形態をとることが想定されるが、他の指（例えば第２指Ｆ２）あるいは別の手指によって押圧する態様も好適に包含されるものである。また第２指係止部２２は、カッター刃５を用いて切断作業を遂行する場合に、作業者の第２指Ｆ２を係止して作業を遂行し易くするための領域として定義される。本実施の形態では、第２指係止部２２は、作業者の第２指Ｆ２を係止する使用形態を想定しているが、もちろん、実際の作業において別の指を係止することを妨げるものではない。
【００４７】
（第２端部領域側把持領域の構成を中心として）
さらに把持部１０は、図３，４に示すように、長手方向ＬＤ１における第２端部領域１２において、第２端部領域側把持領域２３およびスクレーパ３１を有する。第２端部領域側把持領域２３は、図３に示すカッター刃５を用いた切断作業の際に、図２に示す作業者の小指球側環状把持部Ｒ２に当接する側の把持領域として定義される（これについては、併せて図７参照）。
【００４８】
そして第２端部領域側把持部２３は、カッター刃５を用いた切断作業の際に、図２に示す作業者の小指球側環状把持部Ｒ２の長さ寸法に概ね対応しており、把持状態における作業者の第５指Ｆ５が、小指球ＰＨ２に接触または近接可能な寸法設定とされている。
【００４９】
（スクレーパ使用の際の当接円滑化処理領域２４の構成）
また、図３に示すカッターナイフ１を、長手方向ＬＤ１に関して前後逆に把持して、スクレーパ３１を使用する状態が図８に示される。図８に示すように、第２端部１２
領域１２（ないし第２端部領域側把持領域２３）には、無用な突出部や成形時のバリ等が削除された平滑面が形成されている。この平滑面は、スクレーパ３１を使用する際に、作業者の作業進行を阻害されないように設定された「当接円滑化処理領域２４」を構成する。換言すれば、「本発明に係るカッターナイフのホルダであって、第２端部領域ないし第２端部側把持領域には、スクレーパが用いられる場合に作業者の手指の当接箇所に対応して当接円滑化処理領域」という構成が採用されている。
当接円滑化処理領域２４は、スクレーパ３１使用の際に、作業者の第１指Ｆ１での当接・押圧動作に対する阻害回避に有効とされる。
【００５０】
（スクレーパ３１の構成を中心として）
スクレーパ３１は、「へら」とも称呼される金属製の部材であり、刺突作業、ないし刺突および切断作業に供される。典型的な作業態様の一つとしては、テープ係止された段ボール収容箱につき、当該テープを刺突してスクレーパ３１を段ボール収容箱の内側に進入させるとともに、その状態で当該スクレーパ３１を引き操作することで、上記テープを切断し、これによって収容箱の開扉を可能とする作業がこれに該当する。
【００５１】
（スクレーパ３１の先端突出部３２の構成）
図３に示すように、かかる刺突作業、ないし刺突と併せて切断作業を遂行可能とするべくスクレーパ３１の自由端側には、先端突出部３２が形成されている。
【００５２】
先端突出部３２を介して刺突作業を行う場合、当該先端突出部３２を鋭利にし過ぎることで、刺突性能をあまりに上げると、作業中に商品等を不用意に傷つける可能性がある。逆に、刺突性能を下げると、今度は作業性自体が低下してしまう。かかる極端な鋭利性回避と、鋭利性回避に起因する作業性低下のトレードオフの解決策として、先端突出部３２について、略Ｒ＝２．０〜２．５の範囲内のいずれかの曲率を有するように構成することが好ましい。とくに先端突出部３２を、略Ｒ＝２．１〜２．４の範囲内のいずれかの曲率を有するように構成することで上記問題の解決が一層確実に図られる。本実施の形態では、先端突出部の曲率（図３参照）は、一例としてＲ２．３に設定されている。
【００５３】
同様の観点から、スクレーパ３１の先端突出部３２は、略θ２＝４０°〜６０°の範囲内のいずれかの傾斜角を有するように構成することが好ましい。さらに先端突出部３２につき、略θ２＝４４°〜５６°の範囲内のいずれかの傾斜角を有するように構成することで上記問題の解決が一層確実に図られる。本実施の形態では、先端突出部３２の突出角度θ２（図３参照）は、一例として５０°に設定されている。
【００５４】
（第２端部領域１２におけるスクレーパ３１と第２端部側把持領域２３の両立性）
なお本実施形態に係るカッターナイフ１では、第２端部領域１２にスクレーパ３１を配置する一方、当該第２端部領域１２の寸法を適宜に設定することで、スクレーパ３１による作業時に求められる強度剛性が適切に確保されている。一方、第２端部領域１２に形成された第２端部側把持領域２３については、図７に示すように、カッター刃５を用いた切断作業の際に、作業者の小指球側環状把持部Ｒ２の長さ寸法に概ね対応させて、把持状態における作業者の第５指Ｆ５が、小指球ＰＨ２に接触または近接可能な寸法設定とされている。すなわち、第２端部領域１２は、スクレーパ３１による作業のための強度剛性確保と、カッター刃５による作業の際の把持性向上という、双方側の要請を両立させた構成とされている。
【００５５】
（実施形態における作用・効果）
本実施の形態に係るカッターナイフ１、およびそのホルダ２は、上記のように構成される。とりわけ、膨出部１６の曲率Ｒおよび膨出角度θ１に関する創意工夫がなされることで、図６に示すように、本実施形態に係るカッターナイフ１ないしホルダ２を作業者が手Ｈで把持した状態で切断作業を遂行する場合、その掌凹部ＰＶに対して、膨出部１６が略面接触状に密着して当接することになり、人間工学的に優れた把持性能がカッターナイフ１およびホルダ２に付与される。
【００５６】
すなわち作業者は、ホルダ２を自然に把持すれば、その状態でホルダ２の確実な把持が可能であり、把持のために余計な注意を払うことなく、押圧部２１に指圧をかけて切断作業に集中することができる。これによりストレスフリーな作業環境が確保されることになる。かかる人間工学訴求式の実施形態は、とくに強度の作業ないし長時間の作業が求められ易いプロフェッショナルユースの領域においても、十分にその効果を奏することができる。
【００５７】
また上記したように、第２端部領域側把持部２３は、カッター刃５を用いた切断作業の際に、図２に示す作業者の小指球側環状把持部Ｒ２の長さ寸法に概ね対応して構成されている。このため、図７に示すカッター刃５による切断作業に際して、作業者は、小指球側環状領域Ｒ２を第２端部側把持領域２３に密着させた状態で、かつ第５指Ｆ５側の握力をしっかり働かせながら把持部１０を持つことができ、把持性の一層の向上が図られる。
【００５８】
さらに切断作業に際して、作業者は第２指Ｆ２を第２指係止部２２に係止させた状態にて、第１指Ｆ１による指圧を押圧２１に安定的に作用させることができる（図７参照）。
これらの相乗効果により、把持性および作業性の最大効率化が図られることになる。
【００５９】
一方、図８に示すように、本実施形態に係るカッターナイフ１を、長手方向ＬＤ１に関して前後逆に把持し、スクレーパ３１を用いて作業する場合、上記した第２端部領域１２ないし第２端部領域側把持領域２３が前方側端部に位置することになるが、把持部１０における膨出部１６（図４および図５も併せて参照）は、図８に示すスクレーパ作業を遂行する場合には、把持部１０を前後逆に把持した状態の手Ｈ、ないし第１指Ｆ１〜第５指Ｆ５に対し、無用な作業障害物とならないように、手指当接回避領域３３に位置するように構成されている。また上記した当接円滑化処理領域２４が前方側に位置することになり、スクレーパ作業を行う作業者の第１指Ｆ１に対して作業阻害が生じることなく、円滑な作業が担保されることになる。すなわち、本実施形態に係るカッターナイフ１ないしホルダ２によれば、図７に示すカッター刃５を用いた切断作業のみならず、図８に示すスクレーパ３１を用いた刺突ない刺突・切断作業においても、人間工学的視点に立脚して、作業者の作業性および疲労抑制性に優れた作業環境を提供することができる。
【図面の簡単な説明】
【００６０】
【図１】作業者が手Ｈを開いて掌を向けた状態の模式的構造を示す・
【図２】カッターナイフ把持のため手指を曲折した状態の作業者の手Ｈを模式的に示す。
【図３】本発明の実施形態に係るカッターナイフ１およびホルダ２の全体構成を示す正面模式図である。
【図４】本発明の実施形態に係るカッターナイフ１およびホルダ２を上面から視た状態を示す平面模式図である。
【図５】ホルダ２の特徴的構造を示す断面模式図である。
【図６】ホルダ２の特徴的構造を示す斜視模式図である。
【図７】本発明の実施形態に係るカッターナイフ１を切断作業に供するために把持した状態を示す模式図である。
【図８】本発明の実施形態に係るカッターナイフ１をスクレーパ作業に供するために前後逆に把持した状態を示す模式図である。
【符号の説明】
【００６１】
１    カッターナイフ  
２    ホルダ
３    刃収容部  
４    ラッチ
５    カッター刃    
６    スライダ    
７    係合部    
１０  把持部
１１  第１端部領域  
１２  第２端部領域    
１３  中間領域    
１４  長尺体  
１５  突状曲面部    
１６  膨出部    
１７  把持溝部
２１  押圧部    
２２  第２指係止部    
２３  第２端部領域側把持領域    
２４  当接円滑化処理領域    
３１  スクレーパ    
３２  先端突出部    
３３  手指当接回避領域
ＬＤ１  長手方向
Ｃ  把持部中央領域
Ｈ  作業者の手
ＰＬ１  母指線（母指球皮線、生命線）
ＰＬ２  近位手掌線（近位手掌皮線、知能線）
ＰＬ３  遠位手掌線（遠位手掌皮線、感情線）
ＰＨ１  母指球
ＰＨ２  小指球
ＰＶ    掌凹部
Ｆ１    第１指（母指、親指）
Ｆ２    第２指（示指、人差し指）
Ｆ３    第３指（中指）
Ｆ４    第４指（薬指、環指）
Ｆ５    第５指（小指）
Ｒ１  把持状態における第２指と母指球が形成する母指球側環状把持部
Ｒ２  把持状態における第５指と小指球が形成する小指球側環状把持部
【図１】
2020162938.tif 000003
【図２】
2020162938.tif 000004
【図３】
2020162938.tif 000005
【図４】
2020162938.tif 000006
【図５】
2020162938.tif 000007
【図６】
2020162938.tif 000008
【図７】
2020162938.tif 000009
【図８】
2020162938.tif 000010
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
カッターナイフのホルダであって、
カッター刃をスライド可能に収容する刃収容部と
作業者の手での把持に供される把持部と、を有し、
前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有し、
前記中間領域は、作業者が手で前記把持部を把持した状態における当該作業者の掌の母指球と小指球の間に形成される掌凹部に対して略面接触可能な突状曲面部を有し、
前記第１端部領域は、前記カッター刃による切断作業が遂行される場合に、作業者の指圧による押圧力が作用する押圧部を有し、
前記第２端部領域側には、先端突出部を有するスクレーパが設けられており、
スクレーパによる作業遂行のための把持状態における、前記突状曲面部は、作業者の手指への当接が回避された手指当接回避領域に設けられる
ことを特徴とするカッターナイフのホルダ。
【請求項２】
請求項１に記載のカッターナイフのホルダであって、前記掌凹部は、作業者の母指線、近位手掌線および遠位手掌線の少なくとも一部を含んで構成されることを特徴とするカッターナイフのホルダ。
【請求項３】
請求項１または２に記載のカッターナイフのホルダであって、
前記突状曲面部は、前記長手方向において前記把持部の中央よりも前記第２端部領域に近接した位置に設けられることを特徴とするカッターナイフのホルダ。
【請求項４】
請求項１から３のいずれか１項に記載のカッターナイフのホルダであって、
前記突状曲面部は、作業者の母指線、近位手掌線および遠位手掌線と交差する方向につき、所定の曲率および膨出角度を有する膨出部を有し、前記膨出部が、作業者が手で前記把持部を把持した状態における前記掌凹部に対して略面接触するように構成されることを特徴とするカッターナイフのホルダ。
【請求項５】
請求項４に記載のカッターナイフのホルダであって、
前記膨出部の所定の曲率は、略Ｒ１０〜Ｒ２１の範囲内のいずれかとされていることを特徴とするカッターナイフのホルダ。
【請求項６】
請求項４に記載のカッターナイフのホルダであって、
前記膨出部の所定の曲率は、略Ｒ１３〜Ｒ１６の範囲内のいずれかとされていることを特徴とするカッターナイフのホルダ。
【請求項７】
請求項４〜６までのいずれか１項に記載のカッターナイフのホルダであって、
前記膨出部の膨出角度は、略θ１＝１１５°〜１３５°の範囲内のいずれかとされていることを特徴とするカッターナイフのホルダ。
【請求項８】
請求項４〜６までのいずれか１項に記載のカッターナイフのホルダであって、
前記膨出部の膨出角度は、略θ１＝１２０°〜１２５°の範囲内のいずれかとされていることを特徴とするカッターナイフのホルダ。
【請求項９】
請求項４〜９までのいずれか１項に記載のカッターナイフのホルダであって、
前記突状曲面部は、前記長手方向において、前記膨出部から前記第１端部領域側に延在する第１突状曲面部と、前記膨出部から前記第２端部領域側に延在する第２突状曲面部を有し、
前記第１突状曲面部は、前記長手方向における前記膨出部から前記第１端部領域までの長さの略５０％以上かつ略９０％以下となるように設定されるとともに、前記第２突状曲面部は、前記長手方向における前記膨出部から前記第２端部領域までの長さの略５０％以上かつ９０％以下となるように設定されていることを特徴とするカッターナイフのホルダ。
【請求項１０】
請求項９に記載のカッターナイフのホルダであって、
前記長手方向に対する前記第１突状曲面部の傾斜角よりも、前記長手方向に対する前記第２突状曲面部の傾斜角が大きくなるように設定されていることを特徴とするカッターナイフのホルダ。
【請求項１１】
請求項１から１０のいずれか１項に記載のカッターナイフのホルダであって、
前記第２端部領域は、
把持状態における第５指および小指球が形成する環状領域に面接触可能に構成された第２端部領域側把持領域を有し、前記第２端部側把持領域は、把持状態における第５指が小指球に接触または近接可能な寸法設定とされていることを特徴とするカッターナイフのホルダ。
【請求項１２】
請求項１から１１のいずれか１項に記載のカッターナイフのホルダであって、
前記第１端部領域における前記押圧部と対向する側には、作業者が前記押圧部を第１指で押圧した場合に、第２指を係止可能な第２指係止部を有することを特徴とするカッターナイフのホルダ。
【請求項１３】
請求項１から１２のいずれか１項に記載のカッターナイフのホルダであって、
前記スクレーパの先端突出部は、略Ｒ＝２．０〜２．５の範囲内のいずれかの曲率を有するように構成されていることを特徴とするカッターナイフのホルダ。
【請求項１４】
請求項１から１２のいずれか１項に記載のカッターナイフのホルダであって、
前記スクレーパの先端突出部は、略Ｒ＝２．１〜２．４の範囲内のいずれかの曲率を有するように構成されていることを特徴とするカッターナイフのホルダ。
【請求項１５】
請求項１から１４のいずれか１項に記載のカッターナイフのホルダであって、
前記スクレーパの先端突出部は、略θ２＝４０°〜６０°の範囲内のいずれかの傾斜角を有するように構成されていることを特徴とするカッターナイフのホルダ。
【請求項１６】
請求項１から１４のいずれか１項に記載のカッターナイフのホルダであって、
前記スクレーパの先端突出部は、略θ２＝４４°〜５６°の範囲内のいずれかの傾斜角を有するように構成されていることを特徴とするカッターナイフのホルダ。
【請求項１７】
請求項１から１６のいずれか１項に記載のカッターナイフのホルダと、前記刃収容部にスライド可能に収容されたカッター刃を有することを特徴とするカッターナイフ。
【手続補正２】
【補正対象書類名】明細書
【補正対象項目名】全文
【補正方法】変更
【補正の内容】
【発明の詳細な説明】
【技術分野】
【０００１】
本発明は、カッターナイフのホルダおよびカッターナイフにおける、人間工学に基づいた把持性能の向上技術に関する。
【背景技術】
【０００２】
カッターナイフ（ないしそのホルダ）に関する構成について、例えば特開２０１２−４０１４２号公報（特許文献１）に開示されたものが知られている。
当該特許文献１では、カッター刃による切断作業に加えて、ドライバー機能を更に付加することで、カッターナイフの汎用性を向上する技術が採用されている。
【０００３】
さらに上記特許文献１では、その図３、図４等に示されるように、カッターナイフの長手方向におけるホルダの断面を湾曲状に形成することで、作業者が把持し易いホルダに関する開示がなされている。
【０００４】
上記特許文献１に開示された技術では、確かに作業者の把持性を向上させる工夫がなされているが、カッターナイフは、手指によって比較的強い押圧力を作用させた状態で使用に供されることから、さらに作業者の把持性向上を追求する要請がある。かかる要請は、とりわけ長時間継続的に作業を行うプロフェッショナルユース領域において顕著である。
【特許文献１】特開２０１２−４０１２号公報
【発明の開示】
【発明が解決しようとする課題】
【０００５】
本発明は、かかる点に鑑みてなされたものであり、カッターナイフないしそのホルダにつき、作業者による把持性を更に向上するのに有効な技術を提供することを課題とする。
【課題を解決するための手段】
【０００６】
前記課題を解決するために、本発明が構成される。本発明においては、カッター刃をスライド可能に収容する刃収容部と、作業者の手での把持に供される把持部を有するカッターナイフのホルダが構成される。前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有する。また前記中間領域は  作業者が手で前記把持部を把持した状態における当該作業者の掌の母指球と小指球の間に形成される掌凹部に対して略面接触可能な突状曲面部を有する。また前記第１端部領域は、前記カッター刃による切断作業が遂行される場合に、作業者の指圧による押圧力が作用する押圧部を有する。
【０００７】
本発明に係るカッターナイフのホルダは、一般向け汎用品ないしプロフェッショナルユース品のいずれにも適用可能であるが、後述するように、人間工学的な把持特性を追求した特徴に鑑み、とりわけ長時間継続的に作業を行うプロフェッショナルユース品への親和性が高い。
前記刃収容部は、カッター刃を所定の弾性体の付勢力を利用して刃収容部に位置決め保持しつつ、当該付勢力に抗するマニュアル操作を介してスライド可能に構成されてもよい。あるいは、ネジの螺着動作を介して刃収容部に位置決め保持しつつ、当該螺着解除動作を介してスライド可能に構成されてもよい。
【０００８】
前記長尺体の「中間領域」は、当該長尺体の幾何学的中心領域に限定されるものではなく、前記第１端部領域および第２端部領域の間のエリアを広く包含する趣旨である。
前記長尺体の「第１端部領域」は、長手方向においてカッター刃先端に近接する側の端部領域として定義されるが、当該「近接」とは、スライド可能に収容されたカッター刃の先端に近い側の端部に相当し、換言すれば、カッター刃を用いた切断作業をする場合の長尺体の前方側端部に相当する。
【０００９】
これに対し、前記長尺体の「第２端部領域」は、長手方向においてカッター刃先端から離間する側端部領域として定義されるが、当該「離間」とは、長手方向において、第１端部領域よりも遠方側の端部に相当し、換言すれば、カッター刃を用いた切断作業をする場合の長尺体の後方側端部に相当する。
【００１０】
作業者の掌の「母指球」は、当該作業者の手掌における親指の根元側に、当該親指（第１指）の延在方向に概ね沿って形成される丘状部分に相当し、「小指球」は、当該作業者の掌における小指の根元側に、当該小指（第５指）の延在方向に概ね沿って形成される丘状部分に相当する。また「掌凹部」は、当該作業者の掌において、前記母指球と小指球という二つの丘状部分の間に形成される窪地（盆地）状の凹状領域（低位領域）に相当する。
【００１１】
そして本発明における突状曲面部は、掌凹部に対して略面接触可能に構成されている。「面接触」とは、典型的には、突状曲面部における曲面が掌凹部に密着状に接触することで、当該突状曲面部と掌凹部との間の隙間が極小化される態様がこれに該当する。隙間の極小化の観点から、突状曲面部と掌凹部の間につき、部分的な空隙が完全に排除された形態、ないし略排除されたに等しい形態のいずれも包含する。また当該ホルダが使用される国、性別、年齢等の影響因子を考慮して、想定される作業環境に応じて突状曲面部の面接触性能を適宜調整することが可能である。例えば、大柄な作業者が多い国や領域では、突状曲面部を相対的に大きく形成し、逆に小柄な作業者が多い国や領域では、突状曲面部を相対的に小さく形成する等のローカライゼーションがこれに該当する。
【００１２】
また本発明における押圧部は、前記第１端部領域に設けられ、前記カッター刃による切断作業が遂行される場合に、作業者の指圧による押圧力が作用するように構成される。
典型的には、カッター刃による切断作業において、第２指〜第５指を使って把持部をしっかり握った状態で、第１指（親指）の指圧を押圧部に作用させることにより、切断力がコントロールされつつ切断作業が遂行する態様がこれに該当する。
【００１３】
このとき、上記の通り、把持部の中間領域に設けられた突状曲面部が作業者の掌凹部に略面接触して、しっかり密接した状態が維持されるため、作業者は、ホルダの把持に余計な注意力を払う必要がなく、押圧部に指圧をかけて切断作業に集中することができる。例えば上記従来技術においても、把持部断面を湾曲形状とすることで作業者の把持性がある程度は確保できていたが、本発明においては、把持部の中間領域における突状曲面部を、作業者の掌凹部に略面接触させて密接状態が維持されるように構成することで、従来技術よりも更に踏み込んだ、人間工学訴求式のホルダ構成が確保されることになる。
【００１４】
以上、人間工学的に優れた構造を有するホルダを構成することで、「把持部が掌に密着する」―「握りやすい」−「把持に余計な労力がかからず、押圧に集中し易い」−「切断作業が遂行し易い」−「把持に無駄な労力が不要なので長時間作業で疲れにくい」という作業シーケンスが確保されることになり、カッターナイフによる作業性向上に資することが可能となる。
【００１５】
また、カッターナイフの機能性向上ないし多機能化の見地より、前記第２端部領域側に、先端突出部を有するスクレーパが設けられる。スクレーパは「へら」とも称呼され、作業対象に対して刺突作業、あるいは刺突に続いて切断作業を遂行するための機能部材である。
第２端部領域側をカッター刃とは異なる機能部材に割り当てる関係で、スクレーパ使用時には、作業者は、上記把持部を前後逆にして把持することになるが。このとき、上記した突状曲面部が、スクレーパ使用時に作業者による把持の邪魔にならないようにされる。このため本発明では、スクレーパによる作業遂行のための把持状態において、前記突状曲面部は、作業者の手指への当接が回避された手指当接回避領域に設けられるように構成されている。これにより、カッター刃による作業時の把持性向上と、スクレーパによる作業時の支障回避が両立されることになる。
【００１６】
上記掌凹部は、典型的には、作業者の母指線、近位手掌線および遠位手掌線の少なくとも一部を含んで構成される。母指線は、母指球の近傍を当該母指球に沿って延在する線であって生命線とも称呼される。近位手掌線は母指線から分岐状に延在する線であって知能線とも称呼される。遠位手掌線は近位手掌線と略平行に延在する線であって感情線とも称呼される。「少なくとも一部を含んで」とは、掌凹部がこれら三本の線の一部を含む態様、三本の線の全部を含む態様、各線の一部を含む態様のいずれも好適に包含する。
【００１７】
前記突状曲面部は、前記長手方向において、前記把持部の中央よりも前記第２端部領域に近接した位置に設けられることが好ましい。一般に、カッター刃によって切断作業を遂行する場合、手の構造上、把持部の後方側を把持しつつ、前方側に指圧による押圧力を作用させる態勢が合理的となり易い。この点に鑑み、前記突状曲面部について、把持部の中央よりも第２端部領域に近接した位置、換言すれば把持部の後方側に配置することにより、カッター刃による切断作業の容易性を担保することができる。
【００１８】
また前記突状曲面部は、作業者の母指線、近位手掌線および遠位手掌線と交差する方向につき、所定の曲率および膨出角度を有する膨出部（膨出領域とも称呼）を有することが好ましい。そして前記膨出部につき、作業者が手で前記把持部を把持した状態における前記掌凹部に対して略面接触するように構成することが好ましい。このように構成することで、突状曲面部の膨出部が掌凹部に略面接触し、これによって把持性の向上が図られることになる。なお、上記「作業者の母指線、近位手掌線および遠位手掌線と交差する方向」は、作業者が把持部を把持した場合に、当該把持部の長尺方向と概ね交差する方向（例えば概ね直交する方向）に相当する。
【００１９】
上記把持性向上の見地より、前記膨出部の所定の曲率は、略Ｒ１０〜Ｒ２１の範囲内のいずれかとすることが好ましい。特に、曲率を略Ｒ１３〜Ｒ１６の範囲内のいずれかとすることで把持性の更なる向上が図られる。
【００２０】
また前記膨出部の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。
【００２１】
さらに前記突状曲面部は、前記長手方向において、前記膨出部から前記第１端部領域側に延在する第１突状曲面部と、前記膨出部から前記第２端部領域側に延在する第２突状曲面部を有するように構成することが好ましい。この場合、前記第１突状曲面部は、前記長手方向における前記膨出部から前記第１端部領域までの長さの略５０％以上かつ略９０％以下となるように設定することが好ましい。また前記第２突状曲面部は、前記長手方向における前記膨出部から前記第２端部領域までの長さの略５０％以上かつ９０％以下となるように設定することが好ましい。このように構成することで、膨出部が掌凹部に略面接触した状態において、作業者の手の構造に対して、より適合性の高い把持構造を確保することができる。
【００２２】
また前記長手方向に対する前記第１突状曲面部の傾斜角よりも、前記長手方向に対する前記第２突状曲面部の傾斜角が大きくなるように設定することが好ましい。このように構成することで、膨出部が掌凹部に略面接触した状態において、把持状態とされた作業者の手の形状に寄り添った把持構造を確保することができる。
【００２３】
さらに前記第２端部領域につき、把持状態における第５指および小指球が形成する環状領域に面接触可能に構成された第２端部領域側把持領域を有するとともに、前記第２端部側把持領域については、把持状態における第５指が小指球に接触または近接可能な寸法設定とすることが好ましい。このように構成することで、作業者が第５指（小指）側の環状領域を第２端部側把持領域に密着させた状態で、かつ第５指側の握力をしっかり働かせながら把持部を持つことができるようになり、把持性の一層の向上が図られる。特に、カッターナイフの多機能化の見地より、カッターナイフの後端側に別種の機能部材（例えば後述するスクレーパ）を設けるケースがあるが、このような場合、当該別種の機能部材の配置スペースの関係上、第２端部領域側の寸法が増大し易く、かかる寸法増大の結果、把持状態における作業者の第５指を小指球に近接させにくくなり、第５指側の握力をしっかり作用させることが困難な状況が想定される。本発明によれば、かかる懸念が払しょくされて、把持性能の向上が確実に担保されることになる。
【００２４】
さらに前記第１端部領域における前記押圧部と対向する側に、作業者が前記押圧部を第１指で押圧した場合に、第２指を係止可能な第２指係止部を設けることが好ましい。カッター刃で切断作業を行う場合、第２指（人差し指）〜第５指（小指）で把持部を握りつつ、第１指（親指）で押圧部に指圧を作用させることが多いと想定されるが、この場合、第２指を第２指係止部によって係止することで、指がずれて作業性を悪化させる懸念が払しょくされることになる。
【００２５】
上記刺突作業に際しては、スクレーパの刺突性能があまりに高過ぎると、作業中に商品等を不用意に傷つける可能性が懸念される。一方、かかるリスクを回避してスクレーパの刺突性能を下げると、今度は作業性自体が低下してしまう。このようなスクレーパの極端な鋭利性回避と、鋭利性回避に起因する作業性低下のトレードオフを合理的に解決すべく、前記スクレーパの先端突出部について、略Ｒ＝２．０〜２．５の範囲内のいずれかの曲率を有するように構成することが好ましい。とくに前記スクレーパの先端突出部を、略Ｒ＝２．１〜２．４の範囲内のいずれかの曲率を有するように構成することで上記問題の解決が一層確実に図られる。
【００２６】
同様の見地により、前記スクレーパの先端突出部は、略θ２＝４０°〜６０°の範囲内のいずれかの傾斜角を有するように構成することが好ましい。さらに前記スクレーパの先端突出部につき、略θ２＝４４°〜５６°の範囲内のいずれかの傾斜角を有するように構成することで上記問題の解決が一層確実に図られる。
【００２７】
さらに本発明では、上記カッターナイフのホルダと、前記刃収容部にスライド可能に収容されたカッター刃を有するカッターナイフを構成することが好ましい。かかる構成により、人間工学的配慮に富んだ、特にプロフェッショナルユースの領域でも確実に使用性を担保できるカッターナイフが提供されることになる。
【発明を実施するための最良の形態】
【００２８】
本発明の実施形態にについて図１〜図８に基づいて説明する。
上記の通り、本発明は、カッターナイフないしそのホルダにつき、人間工学に基づいた把持性能の向上に関する技術であり、まず把持に関わる作業者の手の構造について、先に説明を行う。
【００２９】
（人間工学的観点に基づく、作業者の手の構造確認）
図１は、作業者が手Ｈを開いて掌を向けた状態の模式的構造が示される（図１では便宜上右手が示されている）。作業者の手指につき、親指（ないし母指）に相当する第１指をＦ１（Ｆｉｎｇｅｒ−１）、人差し指（ないし示指）に相当する第２指をＦ２、中指に相当する第３指をＦ３、薬指（ないし環指）に相当する第４指をＦ４、小指に相当する第５指をＦ５と定義する。
【００３０】
さらに作業者の掌部分につき、第１指Ｆ１の根元側に形成される丘状部分を母指球ＰＨ１（Ｐａｌｍ  Ｈｉｌｌ−１）、第５指Ｆ５の根元側に形成される丘状部分を小指球ＰＨ２と定義する。
【００３１】
また作業者の掌部分につき、母指線をＰＬ１（Ｐａｌｍ  Ｌｉｎｅ−１）、近位手掌線をＰＬ２、遠位手掌線（ないし感情線とも称呼）をＰＬ３と定義する。母指線ＰＬ１は、母指球ＰＨ１の近傍を当該母指球に沿って延在する線であって，「母指球線」、「母指球皮線」あるいは「生命線」とも称呼される。近位手掌線はＰＬ２，母指線ＰＬ１から分岐状に延在する線であって、「近位手掌皮線」、「知能線」とも称呼される。遠位手掌線ＰＬ３は、近位手掌線ＰＬ２と略平行に延在する線であって、「遠位手掌皮線」、「感情線」とも称呼される。
【００３２】
さらに、母指球ＰＨ１および小指球ＰＨ２の間に、母指線ＰＬ１、近位手掌線ＰＬ２、遠位手掌線ＰＬ３を含んで形成される窪地状（盆地状）の凹状低位領域につき、掌凹部ＰＶ（Ｐａｌｍ  Ｖａｌｌｅｙ）と定義する。
本実施例では、掌凹部ＰＶは、母指線ＰＬ１、近位手掌線ＰＬ２、遠位手掌線ＰＬ３を全て含んだ状態で定義されるが、人種や生活環境等による掌の構造上の相違に応じて、上記母指線ＰＬ１、近位手掌線ＰＬ２、遠位手掌線ＰＬ３の少なくとも一部を含めば足りるものとする。
【００３３】
上記の構造を有する作業者の手Ｈにつき、以下に詳述するカッターナイフを把持しようと手指を曲折した状態が図２に示される。
すなわち第１指Ｆ１を曲折するとともに、第２指Ｆ２〜第５指Ｆ５を並列状に曲折することで手Ｈが把持状態に置かれる。このとき、第２指Ｆ２と母指球ＰＨ１が形成する母指球側環状把持部をＲ１と定義し、第５指Ｆ５と小指球ＰＨ２が形成する小指球側環状把持部をＲ２と定義する。このとき、母指球側環状把持部Ｒ１と小指球側環状把持部Ｒ２の間には、上記のように、母指線ＰＬ１、近位手掌線ＰＬ２、遠位手掌線ＰＬ３を含んだ状態で掌凹部ＰＶが形成されている。
【００３４】
（カッターナイフの全体構成）
次に本発明の実施の形態であるカッターナイフ１およびホルダ２の構造について、図３〜図８を用いて説明する。なおカッターナイフ１は、本発明における「カッターナイフ」の一例であり、ホルダ２は、本発明における「ホルダ」の一例に相当する。
図３は、カッターナイフ１およびホルダ２の全体構成を示した正面模式図である。図４は、カッターナイフ１およびホルダ２を上面から視た状態を示した平面模式図である。また図５、図６は、人間工学的配慮に基づく、ホルダ２の特徴的構造を示した断面模式図および斜視模式図である。また図７は、当該カッターナイフ１を切断作業に供するために把持した状態を示した模式図であり、図８は、当該カッターナイフ１をスクレーパ作業に供するために前後逆に把持した状態を示した模式図である。
【００３５】
図３に示すように、カッターナイフ１は、ホルダ２およびカッター刃５有する。カッター刃５としては所定の規格品が用いられており、便宜上詳細な説明を省略する。
ホルダ２は、刃収容部３および把持部１０を有する。刃収容部３はカッター刃５を収容可能に構成された長尺状の金属製の部材である。刃収容部３にはスライダ６が設けられており、当該スライダ６は係合部７を介して、カッター刃５を一体状に係止する。そしてカッター刃５は、刃収容部３に収容された状態で、スライダ６の手動操作に応じて、長軸方向ＬＤ１に摺動動作可能とされている。
【００３６】
本実施形態では、スライダ６と刃収容部３との間に、特に図示しない金属製の弾性体が介在配置されており、当該弾性体がラッチ４に係合することで、カッター刃５の位置決め（刃収容部３からの突出位置ないし刃収容部３内への完全収納）が行われる。なおスライダ６およびカッター刃５の摺動動作等については周知事項であって、本明細書ではその詳細な説明を便宜上省略する。
【００３７】
（把持部１０の構成）
ホルダ２は、カッターナイフ１を作業者が手で把持することに供される把持部１０を有する。把持部１０の詳細な構造が、図３〜図５に示される。
把持部１０は、複数の把持溝部１７が所定距離毎に形成された状態で、長手方向ＬＤ１に延在し、第１端部領域１１、第２端部領域１２、中間領域１３を有する長尺体１４として構成される。なお、説明の便宜上、把持溝部１７は図４においては図示を省略されている。
【００３８】
中間領域１３は、第１端部領域１１と第２端部領域１２の間の領域として定義されている。そして、図４、図５に示されるように、当該中間領域１３には突状曲面部１５が形成される。突状曲面部１５は、把持部中央領域Ｃよりも第２端部領域１２に近接する側を主体として形成されるとともに、膨出部１６を有する。膨出部１６は、把持部中央領域Ｃよりも第２端部領域１２に近接する側に設けられるとともに、その断面構造が図５に模式的に示される。
【００３９】
（膨出部１６の構成）
図４および図５に示す膨出部１６は、以下に述べる人間工学的視点に立脚した把持性向上の見地より、略Ｒ１０〜Ｒ２１の範囲内のいずれかの曲率となるように設定することが好ましい。特に、曲率を略Ｒ１３〜Ｒ１６の範囲内のいずれかとすることで把持性の更なる向上が図られる。本実施の形態では、膨出部１６の曲率は、一例としてＲ１５に設定されている。
【００４０】
また同様に把持性向上の見地より、膨出部１０の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。本実施の形態では、膨出部１６の膨出角度θ１（図５参照）は、一例として１２２°に設定されている。
【００４１】
（人間工学的視点による膨出部１６の構成）
上記膨出部１６の曲率および／または膨出角度の設定により、本実施の形態に係るホルダ２は、人間工学的視点に基づく把持性の著しい向上が図られている。これを説明するべく、膨出部１６の特徴的構成が図６に詳細に示される。なお図６では、説明の便宜上、把持部１０を、膨出部１６の位置する箇所の断面とともに模式的に示している。図６に示すように、本実施形態に係るカッターナイフ１ないしホルダ２を作業者が手Ｈで把持した場合、その掌凹部ＰＶに対して、把持部１０の突状曲面部１５における膨出部１６が略面接触状に密着して当接することになる。とりわけ図１、図２に示す母指線ＰＬ１、近位手掌線ＰＬ２、遠位手掌線ＰＬ３と交差する方向（すなわち図３に示す把持部１０においては長手方向ＬＤ１と交差する方向）に関して、膨出部１６が掌凹部ＰＶに極めて高度に密着することが可能とされ、人間工学的に優れた把持性能が付与されることになる。
【００４２】
なお突状曲面部１５は、図４に示すように、長手方向ＬＤ１において、膨出部１６から第１端部領域１１側に延在する第１突状曲面部１５Ａと、膨出部１６から第２端部領域１２側に延在する第２突状曲面部１５Ｂとに区分することができる。この場合、第１突状曲面部１５Ａの長さＬ１１は、膨出部１６から第１端部領域１１までの長さ（距離）Ｌ１２の略５０％〜略９０％の範囲で設定することが好ましい。本実施の形態では、７５％となるように設定されている。
【００４３】
また第２突状曲面部１５Ｂの長さＬ２１は、膨出部１６から第２端部領域１２までの長さＬ２２の略５０％〜略９０％の範囲で設定することが好ましい。本実施の形態では７５％となるように設定されている。
【００４４】
かかる構成により、膨出部１６が掌凹部ＰＶに面接触した状態において、作業者の手の構造に対して、より適合性の高い把持構造を確保することができる。すなわち第１突状曲面部１５Ａは、図２に示す作業者の把持状態の手において、掌凹部ＰＶから母指球側環状把持部Ｒ１までの領域に対して十分に面接触を維持することが可能となる（図２等も併せて参照）。一方、第２突状曲面部１５Ｂは、掌凹部ＰＶから小指球側環状把持部Ｒ２までの領域に対して十分に面接触を維持することが可能となる。
【００４５】
また図４に示すように、本実施の形態では、長手方向に対する第１突状曲面部１５Ａの傾斜角よりも、長手方向に対する第２突状曲面部１５Ｂの傾斜角が大きくなるように設定されている。これにより、膨出部１６が掌凹部ＰＶに面接触した状態において、把持状態とされた作業者の手の形状に、更に寄り添った把持構造を確保することができる。
【００４６】
（押圧部２１および第２指係止部２２の構成）
更に図３に示すように、把持部１０の第１端部領域１１には、押圧部２１および第２指係止部２２が形成されている。押圧部２１は、カッター刃５を用いて切断作業を遂行する場合に、作業者が手指でカッターナイフ１を作業対象へと押圧するための領域として定義される。作業者は、典型的には、第１指Ｆ１で押圧部２１を押圧する使用形態をとることが想定されるが、他の指（例えば第２指Ｆ２）あるいは別の手指によって押圧する態様も好適に包含されるものである。また第２指係止部２２は、カッター刃５を用いて切断作業を遂行する場合に、作業者の第２指Ｆ２を係止して作業を遂行し易くするための領域として定義される。本実施の形態では、第２指係止部２２は、作業者の第２指Ｆ２を係止する使用形態を想定しているが、もちろん、実際の作業において別の指を係止することを妨げるものではない。
【００４７】
（第２端部領域側把持領域の構成を中心として）
さらに把持部１０は、図３，４に示すように、長手方向ＬＤ１における第２端部領域１２において、第２端部領域側把持領域２３およびスクレーパ３１を有する。第２端部領域側把持領域２３は、図３に示すカッター刃５を用いた切断作業の際に、図２に示す作業者の小指球側環状把持部Ｒ２に当接する側の把持領域として定義される（これについては、併せて図７参照）。
【００４８】
そして第２端部領域側把持部２３は、カッター刃５を用いた切断作業の際に、図２に示す作業者の小指球側環状把持部Ｒ２の長さ寸法に概ね対応しており、把持状態における作業者の第５指Ｆ５が、小指球ＰＨ２に接触または近接可能な寸法設定とされている。
【００４９】
（スクレーパ使用の際の当接円滑化処理領域２４の構成）
また、図３に示すカッターナイフ１を、長手方向ＬＤ１に関して前後逆に把持して、スクレーパ３１を使用する状態が図８に示される。図８に示すように、第２端部領域１２（ないし第２端部領域側把持領域２３）には、無用な突出部や成形時のバリ等が削除された平滑面が形成されている。この平滑面は、スクレーパ３１を使用する際に、作業者の作業進行を阻害されないように設定された「当接円滑化処理領域２４」を構成する。換言すれば、「本発明に係るカッターナイフのホルダであって、第２端部領域ないし第２端部側把持領域には、スクレーパが用いられる場合に作業者の手指の当接箇所に対応して当接円滑化処理領域」という構成が採用されている。
当接円滑化処理領域２４は、スクレーパ３１使用の際に、作業者の第１指Ｆ１での当接・押圧動作に対する阻害回避に有効とされる。
【００５０】
（スクレーパ３１の構成を中心として）
スクレーパ３１は、「へら」とも称呼される金属製の部材であり、刺突作業、ないし刺突および切断作業に供される。典型的な作業態様の一つとしては、テープ係止された段ボール収容箱につき、当該テープを刺突してスクレーパ３１を段ボール収容箱の内側に進入させるとともに、その状態で当該スクレーパ３１を引き操作することで、上記テープを切断し、これによって収容箱の開扉を可能とする作業がこれに該当する。
【００５１】
（スクレーパ３１の先端突出部３２の構成）
図３に示すように、かかる刺突作業、ないし刺突と併せて切断作業を遂行可能とするべくスクレーパ３１の自由端側には、先端突出部３２が形成されている。
【００５２】
先端突出部３２を介して刺突作業を行う場合、当該先端突出部３２を鋭利にし過ぎることで、刺突性能をあまりに上げると、作業中に商品等を不用意に傷つける可能性がある。逆に、刺突性能を下げると、今度は作業性自体が低下してしまう。かかる極端な鋭利性回避と、鋭利性回避に起因する作業性低下のトレードオフの解決策として、先端突出部３２について、略Ｒ＝２．０〜２．５の範囲内のいずれかの曲率を有するように構成することが好ましい。とくに先端突出部３２を、略Ｒ＝２．１〜２．４の範囲内のいずれかの曲率を有するように構成することで上記問題の解決が一層確実に図られる。本実施の形態では、先端突出部の曲率（図３参照）は、一例としてＲ２．３に設定されている。
【００５３】
同様の観点から、スクレーパ３１の先端突出部３２は、略θ２＝４０°〜６０°の範囲内のいずれかの傾斜角を有するように構成することが好ましい。さらに先端突出部３２につき、略θ２＝４４°〜５６°の範囲内のいずれかの傾斜角を有するように構成することで上記問題の解決が一層確実に図られる。本実施の形態では、先端突出部３２の突出角度θ２（図３参照）は、一例として５０°に設定されている。
【００５４】
（第２端部領域１２におけるスクレーパ３１と第２端部側把持領域２３の両立性）
なお本実施形態に係るカッターナイフ１では、第２端部領域１２にスクレーパ３１を配置する一方、当該第２端部領域１２の寸法を適宜に設定することで、スクレーパ３１による作業時に求められる強度剛性が適切に確保されている。一方、第２端部領域１２に形成された第２端部側把持領域２３については、図７に示すように、カッター刃５を用いた切断作業の際に、作業者の小指球側環状把持部Ｒ２の長さ寸法に概ね対応させて、把持状態における作業者の第５指Ｆ５が、小指球ＰＨ２に接触または近接可能な寸法設定とされている。すなわち、第２端部領域１２は、スクレーパ３１による作業のための強度剛性確保と、カッター刃５による作業の際の把持性向上という、双方側の要請を両立させた構成とされている。
【００５５】
（実施形態における作用・効果）
本実施の形態に係るカッターナイフ１、およびそのホルダ２は、上記のように構成される。とりわけ、膨出部１６の曲率Ｒおよび膨出角度θ１に関する創意工夫がなされることで、図６に示すように、本実施形態に係るカッターナイフ１ないしホルダ２を作業者が手Ｈで把持した状態で切断作業を遂行する場合、その掌凹部ＰＶに対して、膨出部１６が略面接触状に密着して当接することになり、人間工学的に優れた把持性能がカッターナイフ１およびホルダ２に付与される。
【００５６】
すなわち作業者は、ホルダ２を自然に把持すれば、その状態でホルダ２の確実な把持が可能であり、把持のために余計な注意を払うことなく、押圧部２１に指圧をかけて切断作業に集中することができる。これによりストレスフリーな作業環境が確保されることになる。かかる人間工学訴求式の実施形態は、とくに強度の作業ないし長時間の作業が求められ易いプロフェッショナルユースの領域においても、十分にその効果を奏することができる。
【００５７】
また上記したように、第２端部領域側把持部２３は、カッター刃５を用いた切断作業の際に、図２に示す作業者の小指球側環状把持部Ｒ２の長さ寸法に概ね対応して構成されている。このため、図７に示すカッター刃５による切断作業に際して、作業者は、小指球側環状領域Ｒ２を第２端部側把持領域２３に密着させた状態で、かつ第５指Ｆ５側の握力をしっかり働かせながら把持部１０を持つことができ、把持性の一層の向上が図られる。
【００５８】
さらに切断作業に際して、作業者は第２指Ｆ２を第２指係止部２２に係止させた状態にて、第１指Ｆ１による指圧を押圧２１に安定的に作用させることができる（図７参照）。
これらの相乗効果により、把持性および作業性の最大効率化が図られることになる。
【００５９】
一方、図８に示すように、本実施形態に係るカッターナイフ１を、長手方向ＬＤ１に関して前後逆に把持し、スクレーパ３１を用いて作業する場合、上記した第２端部領域１２ないし第２端部領域側把持領域２３が前方側端部に位置することになるが、把持部１０における膨出部１６（図４および図５も併せて参照）は、図８に示すスクレーパ作業を遂行する場合には、把持部１０を前後逆に把持した状態の手Ｈ、ないし第１指Ｆ１〜第５指Ｆ５に対し、無用な作業障害物とならないように、手指当接回避領域３３に位置するように構成されている。また上記した当接円滑化処理領域２４が前方側に位置することになり、スクレーパ作業を行う作業者の第１指Ｆ１に対して作業阻害が生じることなく、円滑な作業が担保されることになる。すなわち、本実施形態に係るカッターナイフ１ないしホルダ２によれば、図７に示すカッター刃５を用いた切断作業のみならず、図８に示すスクレーパ３１を用いた刺突ない刺突・切断作業においても、人間工学的視点に立脚して、作業者の作業性および疲労抑制性に優れた作業環境を提供することができる。
【図面の簡単な説明】
【００６０】
【図１】作業者が手Ｈを開いて掌を向けた状態の模式的構造を示す・
【図２】カッターナイフ把持のため手指を曲折した状態の作業者の手Ｈを模式的に示す。
【図３】本発明の実施形態に係るカッターナイフ１およびホルダ２の全体構成を示す正面模式図である。
【図４】本発明の実施形態に係るカッターナイフ１およびホルダ２を上面から視た状態を示す平面模式図である。
【図５】ホルダ２の特徴的構造を示す断面模式図である。
【図６】ホルダ２の特徴的構造を示す斜視模式図である。
【図７】本発明の実施形態に係るカッターナイフ１を切断作業に供するために把持した状態を示す模式図である。
【図８】本発明の実施形態に係るカッターナイフ１をスクレーパ作業に供するために前後逆に把持した状態を示す模式図である。
【符号の説明】
【００６１】
１    カッターナイフ  
２    ホルダ
３    刃収容部  
４    ラッチ
５    カッター刃    
６    スライダ    
７    係合部    
１０  把持部
１１  第１端部領域  
１２  第２端部領域    
１３  中間領域    
１４  長尺体  
１５  突状曲面部    
１６  膨出部    
１７  把持溝部
２１  押圧部    
２２  第２指係止部    
２３  第２端部領域側把持領域    
２４  当接円滑化処理領域    
３１  スクレーパ    
３２  先端突出部    
３３  手指当接回避領域
ＬＤ１  長手方向
Ｃ  把持部中央領域
Ｈ  作業者の手
ＰＬ１  母指線（母指球皮線、生命線）
ＰＬ２  近位手掌線（近位手掌皮線、知能線）
ＰＬ３  遠位手掌線（遠位手掌皮線、感情線）
ＰＨ１  母指球
ＰＨ２  小指球
ＰＶ    掌凹部
Ｆ１    第１指（母指、親指）
Ｆ２    第２指（示指、人差し指）
Ｆ３    第３指（中指）
Ｆ４    第４指（薬指、環指）
Ｆ５    第５指（小指）
Ｒ１  把持状態における第２指と母指球が形成する母指球側環状把持部
Ｒ２  把持状態における第５指と小指球が形成する小指球側環状把持部
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
カッターナイフのホルダであって、
カッター刃をスライド可能に収容する刃収容部と
作業者の手での把持に供される把持部と、を有し、
前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有し、
前記中間領域は、作業者が手で前記把持部を把持した状態における当該作業者の掌の母指球と小指球の間に形成される掌凹部に対して略面接触可能な突状曲面部を有し、
前記第１端部領域は、前記カッター刃による切断作業が遂行される場合に、作業者の指圧による押圧力が作用する押圧部を有し、
前記第２端部領域側には、先端突出部を有するスクレーパが設けられており、
スクレーパによる作業遂行のための把持状態における、前記突状曲面部は、作業者の手指への当接が回避された手指当接回避領域に設けられる
ことを特徴とするカッターナイフのホルダ。
【請求項２】
請求項１に記載のカッターナイフのホルダであって、前記掌凹部は、作業者の母指線、近位手掌線および遠位手掌線の少なくとも一部を含んで構成されることを特徴とするカッターナイフのホルダ。
【請求項３】
請求項１または２に記載のカッターナイフのホルダであって、
前記突状曲面部は、前記長手方向において前記把持部の中央よりも前記第２端部領域に近接した位置に設けられることを特徴とするカッターナイフのホルダ。
【請求項４】
請求項１から３のいずれか１項に記載のカッターナイフのホルダであって、
前記突状曲面部は、作業者の母指線、近位手掌線および遠位手掌線と交差する方向につき、所定の曲率および膨出角度を有する膨出部を有し、前記膨出部が、作業者が手で前記把持部を把持した状態における前記掌凹部に対して略面接触するように構成されることを特徴とするカッターナイフのホルダ。
【請求項５】
請求項４に記載のカッターナイフのホルダであって、
前記膨出部の所定の曲率は、略Ｒ１０〜Ｒ２１の範囲内のいずれかとされていることを特徴とするカッターナイフのホルダ。
【請求項６】
請求項４に記載のカッターナイフのホルダであって、
前記膨出部の所定の曲率は、略Ｒ１３〜Ｒ１６の範囲内のいずれかとされていることを特徴とするカッターナイフのホルダ。
【請求項７】
請求項４〜６までのいずれか１項に記載のカッターナイフのホルダであって、
前記膨出部の膨出角度は、略θ１＝１１５°〜１３５°の範囲内のいずれかとされていることを特徴とするカッターナイフのホルダ。
【請求項８】
請求項４〜６までのいずれか１項に記載のカッターナイフのホルダであって、
前記膨出部の膨出角度は、略θ１＝１２０°〜１２５°の範囲内のいずれかとされていることを特徴とするカッターナイフのホルダ。
【請求項９】
請求項４〜８までのいずれか１項に記載のカッターナイフのホルダであって、
前記突状曲面部は、前記長手方向において、前記膨出部から前記第１端部領域側に延在する第１突状曲面部と、前記膨出部から前記第２端部領域側に延在する第２突状曲面部を有し、
前記第１突状曲面部は、前記長手方向における前記膨出部から前記第１端部領域までの長さの略５０％以上かつ略９０％以下となるように設定されるとともに、前記第２突状曲面部は、前記長手方向における前記膨出部から前記第２端部領域までの長さの略５０％以上かつ９０％以下となるように設定されていることを特徴とするカッターナイフのホルダ。
【請求項１０】
請求項９に記載のカッターナイフのホルダであって、
前記長手方向に対する前記第１突状曲面部の傾斜角よりも、前記長手方向に対する前記第２突状曲面部の傾斜角が大きくなるように設定されていることを特徴とするカッターナイフのホルダ。
【請求項１１】
請求項１から１０のいずれか１項に記載のカッターナイフのホルダであって、
前記第２端部領域は、
把持状態における第５指および小指球が形成する環状領域に面接触可能に構成された第２端部領域側把持領域を有し、前記第２端部側把持領域は、把持状態における第５指が小指球に接触または近接可能な寸法設定とされていることを特徴とするカッターナイフのホルダ。
【請求項１２】
請求項１から１１のいずれか１項に記載のカッターナイフのホルダであって、
前記第１端部領域における前記押圧部と対向する側には、作業者が前記押圧部を第１指で押圧した場合に、第２指を係止可能な第２指係止部を有することを特徴とするカッターナイフのホルダ。
【請求項１３】
請求項１から１２のいずれか１項に記載のカッターナイフのホルダであって、
前記スクレーパの先端突出部は、略Ｒ＝２．０〜２．５の範囲内のいずれかの曲率を有するように構成されていることを特徴とするカッターナイフのホルダ。
【請求項１４】
請求項１から１２のいずれか１項に記載のカッターナイフのホルダであって、
前記スクレーパの先端突出部は、略Ｒ＝２．１〜２．４の範囲内のいずれかの曲率を有するように構成されていることを特徴とするカッターナイフのホルダ。
【請求項１５】
請求項１から１４のいずれか１項に記載のカッターナイフのホルダであって、
前記スクレーパの先端突出部は、略θ２＝４０°〜６０°の範囲内のいずれかの傾斜角を有するように構成されていることを特徴とするカッターナイフのホルダ。
【請求項１６】
請求項１から１４のいずれか１項に記載のカッターナイフのホルダであって、
前記スクレーパの先端突出部は、略θ２＝４４°〜５６°の範囲内のいずれかの傾斜角を有するように構成されていることを特徴とするカッターナイフのホルダ。
【請求項１７】
請求項１から１６のいずれか１項に記載のカッターナイフのホルダと、前記刃収容部にスライド可能に収容されたカッター刃を有することを特徴とするカッターナイフ。
【手続補正２】
【補正対象書類名】明細書
【補正対象項目名】全文
【補正方法】変更
【補正の内容】
【発明の詳細な説明】
【技術分野】
【０００１】
本発明は、カッターナイフのホルダおよびカッターナイフにおける、人間工学に基づいた把持性能の向上技術に関する。
【背景技術】
【０００２】
カッターナイフ（ないしそのホルダ）に関する構成について、例えば特開２０１２−４０１４２号公報（特許文献１）に開示されたものが知られている。
当該特許文献１では、カッター刃による切断作業に加えて、ドライバー機能を更に付加することで、カッターナイフの汎用性を向上する技術が採用されている。
【０００３】
さらに上記特許文献１では、その図３、図４等に示されるように、カッターナイフの長手方向におけるホルダの断面を湾曲状に形成することで、作業者が把持し易いホルダに関する開示がなされている。
【０００４】
上記特許文献１に開示された技術では、確かに作業者の把持性を向上させる工夫がなされているが、カッターナイフは、手指によって比較的強い押圧力を作用させた状態で使用に供されることから、さらに作業者の把持性向上を追求する要請がある。かかる要請は、とりわけ長時間継続的に作業を行うプロフェッショナルユース領域において顕著である。
【特許文献１】特開２０１２−４０１２号公報
【発明の開示】
【発明が解決しようとする課題】
【０００５】
本発明は、かかる点に鑑みてなされたものであり、カッターナイフないしそのホルダにつき、作業者による把持性を更に向上するのに有効な技術を提供することを課題とする。
【課題を解決するための手段】
【０００６】
前記課題を解決するために、本発明が構成される。本発明においては、カッター刃をスライド可能に収容する刃収容部と、作業者の手での把持に供される把持部を有するカッターナイフのホルダが構成される。前記把持部は、前記カッター刃のスライド方向を長手方向とする長尺体として形成されるとともに、前記長尺体の中間領域と、前記長手方向における前記カッター刃先端に近接する側の第１端部領域と、離間する側の第２端部領域とを有する。また前記中間領域は  作業者が手で前記把持部を把持した状態における当該作業者の掌の母指球と小指球の間に形成される掌凹部に対して略面接触可能な突状曲面部を有する。また前記第１端部領域は、前記カッター刃による切断作業が遂行される場合に、作業者の指圧による押圧力が作用する押圧部を有する。
【０００７】
本発明に係るカッターナイフのホルダは、一般向け汎用品ないしプロフェッショナルユース品のいずれにも適用可能であるが、後述するように、人間工学的な把持特性を追求した特徴に鑑み、とりわけ長時間継続的に作業を行うプロフェッショナルユース品への親和性が高い。
前記刃収容部は、カッター刃を所定の弾性体の付勢力を利用して刃収容部に位置決め保持しつつ、当該付勢力に抗するマニュアル操作を介してスライド可能に構成されてもよい。あるいは、ネジの螺着動作を介して刃収容部に位置決め保持しつつ、当該螺着解除動作を介してスライド可能に構成されてもよい。
【０００８】
前記長尺体の「中間領域」は、当該長尺体の幾何学的中心領域に限定されるものではなく、前記第１端部領域および第２端部領域の間のエリアを広く包含する趣旨である。
前記長尺体の「第１端部領域」は、長手方向においてカッター刃先端に近接する側の端部領域として定義されるが、当該「近接」とは、スライド可能に収容されたカッター刃の先端に近い側の端部に相当し、換言すれば、カッター刃を用いた切断作業をする場合の長尺体の前方側端部に相当する。
【０００９】
これに対し、前記長尺体の「第２端部領域」は、長手方向においてカッター刃先端から離間する側端部領域として定義されるが、当該「離間」とは、長手方向において、第１端部領域よりも遠方側の端部に相当し、換言すれば、カッター刃を用いた切断作業をする場合の長尺体の後方側端部に相当する。
【００１０】
作業者の掌の「母指球」は、当該作業者の手掌における親指の根元側に、当該親指（第１指）の延在方向に概ね沿って形成される丘状部分に相当し、「小指球」は、当該作業者の掌における小指の根元側に、当該小指（第５指）の延在方向に概ね沿って形成される丘状部分に相当する。また「掌凹部」は、当該作業者の掌において、前記母指球と小指球という二つの丘状部分の間に形成される窪地（盆地）状の凹状領域（低位領域）に相当する。
【００１１】
そして本発明における突状曲面部は、掌凹部に対して略面接触可能に構成されている。「面接触」とは、典型的には、突状曲面部における曲面が掌凹部に密着状に接触することで、当該突状曲面部と掌凹部との間の隙間が極小化される態様がこれに該当する。隙間の極小化の観点から、突状曲面部と掌凹部の間につき、部分的な空隙が完全に排除された形態、ないし略排除されたに等しい形態のいずれも包含する。また当該ホルダが使用される国、性別、年齢等の影響因子を考慮して、想定される作業環境に応じて突状曲面部の面接触性能を適宜調整することが可能である。例えば、大柄な作業者が多い国や領域では、突状曲面部を相対的に大きく形成し、逆に小柄な作業者が多い国や領域では、突状曲面部を相対的に小さく形成する等のローカライゼーションがこれに該当する。
【００１２】
また本発明における押圧部は、前記第１端部領域に設けられ、前記カッター刃による切断作業が遂行される場合に、作業者の指圧による押圧力が作用するように構成される。
典型的には、カッター刃による切断作業において、第２指〜第５指を使って把持部をしっかり握った状態で、第１指（親指）の指圧を押圧部に作用させることにより、切断力がコントロールされつつ切断作業が遂行する態様がこれに該当する。
【００１３】
このとき、上記の通り、把持部の中間領域に設けられた突状曲面部が作業者の掌凹部に略面接触して、しっかり密接した状態が維持されるため、作業者は、ホルダの把持に余計な注意力を払う必要がなく、押圧部に指圧をかけて切断作業に集中することができる。例えば上記従来技術においても、把持部断面を湾曲形状とすることで作業者の把持性がある程度は確保できていたが、本発明においては、把持部の中間領域における突状曲面部を、作業者の掌凹部に略面接触させて密接状態が維持されるように構成することで、従来技術よりも更に踏み込んだ、人間工学訴求式のホルダ構成が確保されることになる。
【００１４】
以上、人間工学的に優れた構造を有するホルダを構成することで、「把持部が掌に密着する」―「握りやすい」−「把持に余計な労力がかからず、押圧に集中し易い」−「切断作業が遂行し易い」−「把持に無駄な労力が不要なので長時間作業で疲れにくい」という作業シーケンスが確保されることになり、カッターナイフによる作業性向上に資することが可能となる。
【００１５】
また、カッターナイフの機能性向上ないし多機能化の見地より、前記第２端部領域側に、先端突出部を有するスクレーパが設けられる。スクレーパは「へら」とも称呼され、作業対象に対して刺突作業、あるいは刺突に続いて切断作業を遂行するための機能部材である。
第２端部領域側をカッター刃とは異なる機能部材に割り当てる関係で、スクレーパ使用時には、作業者は、上記把持部を前後逆にして把持することになるが。このとき、上記した突状曲面部が、スクレーパ使用時に作業者による把持の邪魔にならないようにされる。このため本発明では、スクレーパによる作業遂行のための把持状態において、前記突状曲面部は、作業者の手指への当接が回避された手指当接回避領域に設けられるように構成されている。これにより、カッター刃による作業時の把持性向上と、スクレーパによる作業時の支障回避が両立されることになる。
【００１６】
上記掌凹部は、典型的には、作業者の母指線、近位手掌線および遠位手掌線の少なくとも一部を含んで構成される。母指線は、母指球の近傍を当該母指球に沿って延在する線であって生命線とも称呼される。近位手掌線は母指線から分岐状に延在する線であって知能線とも称呼される。遠位手掌線は近位手掌線と略平行に延在する線であって感情線とも称呼される。「少なくとも一部を含んで」とは、掌凹部がこれら三本の線の一部を含む態様、三本の線の全部を含む態様、各線の一部を含む態様のいずれも好適に包含する。
【００１７】
前記突状曲面部は、前記長手方向において、前記把持部の中央よりも前記第２端部領域に近接した位置に設けられることが好ましい。一般に、カッター刃によって切断作業を遂行する場合、手の構造上、把持部の後方側を把持しつつ、前方側に指圧による押圧力を作用させる態勢が合理的となり易い。この点に鑑み、前記突状曲面部について、把持部の中央よりも第２端部領域に近接した位置、換言すれば把持部の後方側に配置することにより、カッター刃による切断作業の容易性を担保することができる。
【００１８】
また前記突状曲面部は、作業者の母指線、近位手掌線および遠位手掌線と交差する方向につき、所定の曲率および膨出角度を有する膨出部（膨出領域とも称呼）を有することが好ましい。そして前記膨出部につき、作業者が手で前記把持部を把持した状態における前記掌凹部に対して略面接触するように構成することが好ましい。このように構成することで、突状曲面部の膨出部が掌凹部に略面接触し、これによって把持性の向上が図られることになる。なお、上記「作業者の母指線、近位手掌線および遠位手掌線と交差する方向」は、作業者が把持部を把持した場合に、当該把持部の長尺方向と概ね交差する方向（例えば概ね直交する方向）に相当する。
【００１９】
上記把持性向上の見地より、前記膨出部の所定の曲率は、略Ｒ１０〜Ｒ２１の範囲内のいずれかとすることが好ましい。特に、曲率を略Ｒ１３〜Ｒ１６の範囲内のいずれかとすることで把持性の更なる向上が図られる。
【００２０】
また前記膨出部の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。
【００２１】
さらに前記突状曲面部は、前記長手方向において、前記膨出部から前記第１端部領域側に延在する第１突状曲面部と、前記膨出部から前記第２端部領域側に延在する第２突状曲面部を有するように構成することが好ましい。この場合、前記第１突状曲面部は、前記長手方向における前記膨出部から前記第１端部領域までの長さの略５０％以上かつ略９０％以下となるように設定することが好ましい。また前記第２突状曲面部は、前記長手方向における前記膨出部から前記第２端部領域までの長さの略５０％以上かつ９０％以下となるように設定することが好ましい。このように構成することで、膨出部が掌凹部に略面接触した状態において、作業者の手の構造に対して、より適合性の高い把持構造を確保することができる。
【００２２】
また前記長手方向に対する前記第１突状曲面部の傾斜角よりも、前記長手方向に対する前記第２突状曲面部の傾斜角が大きくなるように設定することが好ましい。このように構成することで、膨出部が掌凹部に略面接触した状態において、把持状態とされた作業者の手の形状に寄り添った把持構造を確保することができる。
【００２３】
さらに前記第２端部領域につき、把持状態における第５指および小指球が形成する環状領域に面接触可能に構成された第２端部領域側把持領域を有するとともに、前記第２端部側把持領域については、把持状態における第５指が小指球に接触または近接可能な寸法設定とすることが好ましい。このように構成することで、作業者が第５指（小指）側の環状領域を第２端部側把持領域に密着させた状態で、かつ第５指側の握力をしっかり働かせながら把持部を持つことができるようになり、把持性の一層の向上が図られる。特に、カッターナイフの多機能化の見地より、カッターナイフの後端側に別種の機能部材（例えば後述するスクレーパ）を設けるケースがあるが、このような場合、当該別種の機能部材の配置スペースの関係上、第２端部領域側の寸法が増大し易く、かかる寸法増大の結果、把持状態における作業者の第５指を小指球に近接させにくくなり、第５指側の握力をしっかり作用させることが困難な状況が想定される。本発明によれば、かかる懸念が払しょくされて、把持性能の向上が確実に担保されることになる。
【００２４】
さらに前記第１端部領域における前記押圧部と対向する側に、作業者が前記押圧部を第１指で押圧した場合に、第２指を係止可能な第２指係止部を設けることが好ましい。カッター刃で切断作業を行う場合、第２指（人差し指）〜第５指（小指）で把持部を握りつつ、第１指（親指）で押圧部に指圧を作用させることが多いと想定されるが、この場合、第２指を第２指係止部によって係止することで、指がずれて作業性を悪化させる懸念が払しょくされることになる。
【００２５】
上記刺突作業に際しては、スクレーパの刺突性能があまりに高過ぎると、作業中に商品等を不用意に傷つける可能性が懸念される。一方、かかるリスクを回避してスクレーパの刺突性能を下げると、今度は作業性自体が低下してしまう。このようなスクレーパの極端な鋭利性回避と、鋭利性回避に起因する作業性低下のトレードオフを合理的に解決すべく、前記スクレーパの先端突出部について、略Ｒ＝２．０〜２．５の範囲内のいずれかの曲率を有するように構成することが好ましい。とくに前記スクレーパの先端突出部を、略Ｒ＝２．１〜２．４の範囲内のいずれかの曲率を有するように構成することで上記問題の解決が一層確実に図られる。
【００２６】
同様の見地により、前記スクレーパの先端突出部は、略θ２＝４０°〜６０°の範囲内のいずれかの傾斜角を有するように構成することが好ましい。さらに前記スクレーパの先端突出部につき、略θ２＝４４°〜５６°の範囲内のいずれかの傾斜角を有するように構成することで上記問題の解決が一層確実に図られる。
【００２７】
さらに本発明では、上記カッターナイフのホルダと、前記刃収容部にスライド可能に収容されたカッター刃を有するカッターナイフを構成することが好ましい。かかる構成により、人間工学的配慮に富んだ、特にプロフェッショナルユースの領域でも確実に使用性を担保できるカッターナイフが提供されることになる。
【発明を実施するための最良の形態】
【００２８】
本発明の実施形態にについて図１〜図８に基づいて説明する。
上記の通り、本発明は、カッターナイフないしそのホルダにつき、人間工学に基づいた把持性能の向上に関する技術であり、まず把持に関わる作業者の手の構造について、先に説明を行う。
【００２９】
（人間工学的観点に基づく、作業者の手の構造確認）
図１は、作業者が手Ｈを開いて掌を向けた状態の模式的構造が示される（図１では便宜上右手が示されている）。作業者の手指につき、親指（ないし母指）に相当する第１指をＦ１（Ｆｉｎｇｅｒ−１）、人差し指（ないし示指）に相当する第２指をＦ２、中指に相当する第３指をＦ３、薬指（ないし環指）に相当する第４指をＦ４、小指に相当する第５指をＦ５と定義する。
【００３０】
さらに作業者の掌部分につき、第１指Ｆ１の根元側に形成される丘状部分を母指球ＰＨ１（Ｐａｌｍ  Ｈｉｌｌ−１）、第５指Ｆ５の根元側に形成される丘状部分を小指球ＰＨ２と定義する。
【００３１】
また作業者の掌部分につき、母指線をＰＬ１（Ｐａｌｍ  Ｌｉｎｅ−１）、近位手掌線をＰＬ２、遠位手掌線（ないし感情線とも称呼）をＰＬ３と定義する。母指線ＰＬ１は、母指球ＰＨ１の近傍を当該母指球に沿って延在する線であって，「母指球線」、「母指球皮線」あるいは「生命線」とも称呼される。近位手掌線はＰＬ２，母指線ＰＬ１から分岐状に延在する線であって、「近位手掌皮線」、「知能線」とも称呼される。遠位手掌線ＰＬ３は、近位手掌線ＰＬ２と略平行に延在する線であって、「遠位手掌皮線」、「感情線」とも称呼される。
【００３２】
さらに、母指球ＰＨ１および小指球ＰＨ２の間に、母指線ＰＬ１、近位手掌線ＰＬ２、遠位手掌線ＰＬ３を含んで形成される窪地状（盆地状）の凹状低位領域につき、掌凹部ＰＶ（Ｐａｌｍ  Ｖａｌｌｅｙ）と定義する。
本実施例では、掌凹部ＰＶは、母指線ＰＬ１、近位手掌線ＰＬ２、遠位手掌線ＰＬ３を全て含んだ状態で定義されるが、人種や生活環境等による掌の構造上の相違に応じて、上記母指線ＰＬ１、近位手掌線ＰＬ２、遠位手掌線ＰＬ３の少なくとも一部を含めば足りるものとする。
【００３３】
上記の構造を有する作業者の手Ｈにつき、以下に詳述するカッターナイフを把持しようと手指を曲折した状態が図２に示される。
すなわち第１指Ｆ１を曲折するとともに、第２指Ｆ２〜第５指Ｆ５を並列状に曲折することで手Ｈが把持状態に置かれる。このとき、第２指Ｆ２と母指球ＰＨ１が形成する母指球側環状把持部をＲ１と定義し、第５指Ｆ５と小指球ＰＨ２が形成する小指球側環状把持部をＲ２と定義する。このとき、母指球側環状把持部Ｒ１と小指球側環状把持部Ｒ２の間には、上記のように、母指線ＰＬ１、近位手掌線ＰＬ２、遠位手掌線ＰＬ３を含んだ状態で掌凹部ＰＶが形成されている。
【００３４】
（カッターナイフの全体構成）
次に本発明の実施の形態であるカッターナイフ１およびホルダ２の構造について、図３〜図８を用いて説明する。なおカッターナイフ１は、本発明における「カッターナイフ」の一例であり、ホルダ２は、本発明における「ホルダ」の一例に相当する。
図３は、カッターナイフ１およびホルダ２の全体構成を示した正面模式図である。図４は、カッターナイフ１およびホルダ２を上面から視た状態を示した平面模式図である。また図５、図６は、人間工学的配慮に基づく、ホルダ２の特徴的構造を示した断面模式図および斜視模式図である。また図７は、当該カッターナイフ１を切断作業に供するために把持した状態を示した模式図であり、図８は、当該カッターナイフ１をスクレーパ作業に供するために前後逆に把持した状態を示した模式図である。
【００３５】
図３に示すように、カッターナイフ１は、ホルダ２およびカッター刃５有する。カッター刃５としては所定の規格品が用いられており、便宜上詳細な説明を省略する。
ホルダ２は、刃収容部３および把持部１０を有する。刃収容部３はカッター刃５を収容可能に構成された長尺状の金属製の部材である。刃収容部３にはスライダ６が設けられており、当該スライダ６は係合部７を介して、カッター刃５を一体状に係止する。そしてカッター刃５は、刃収容部３に収容された状態で、スライダ６の手動操作に応じて、長軸方向ＬＤ１に摺動動作可能とされている。
【００３６】
本実施形態では、スライダ６と刃収容部３との間に、特に図示しない金属製の弾性体が介在配置されており、当該弾性体がラッチ４に係合することで、カッター刃５の位置決め（刃収容部３からの突出位置ないし刃収容部３内への完全収納）が行われる。なおスライダ６およびカッター刃５の摺動動作等については周知事項であって、本明細書ではその詳細な説明を便宜上省略する。
【００３７】
（把持部１０の構成）
ホルダ２は、カッターナイフ１を作業者が手で把持することに供される把持部１０を有する。把持部１０の詳細な構造が、図３〜図５に示される。
把持部１０は、複数の把持溝部１７が所定距離毎に形成された状態で、長手方向ＬＤ１に延在し、第１端部領域１１、第２端部領域１２、中間領域１３を有する長尺体１４として構成される。なお、説明の便宜上、把持溝部１７は図４においては図示を省略されている。
【００３８】
中間領域１３は、第１端部領域１１と第２端部領域１２の間の領域として定義されている。そして、図４、図５に示されるように、当該中間領域１３には突状曲面部１５が形成される。突状曲面部１５は、把持部中央領域Ｃよりも第２端部領域１２に近接する側を主体として形成されるとともに、膨出部１６を有する。膨出部１６は、把持部中央領域Ｃよりも第２端部領域１２に近接する側に設けられるとともに、その断面構造が図５に模式的に示される。
【００３９】
（膨出部１６の構成）
図４および図５に示す膨出部１６は、以下に述べる人間工学的視点に立脚した把持性向上の見地より、略Ｒ１０〜Ｒ２１の範囲内のいずれかの曲率となるように設定することが好ましい。特に、曲率を略Ｒ１３〜Ｒ１６の範囲内のいずれかとすることで把持性の更なる向上が図られる。本実施の形態では、膨出部１６の曲率は、一例としてＲ１５に設定されている。
【００４０】
また同様に把持性向上の見地より、膨出部１０の膨出角度については、略θ１＝１１５°〜１３５°の範囲内のいずれかとすることが好ましい。特に、膨出角度を略θ１＝１２０°〜１２５°の範囲内のいずれかとすることで把持性の更なる向上が図られる。本実施の形態では、膨出部１６の膨出角度θ１（図５参照）は、一例として１２２°に設定されている。
【００４１】
（人間工学的視点による膨出部１６の構成）
上記膨出部１６の曲率および／または膨出角度の設定により、本実施の形態に係るホルダ２は、人間工学的視点に基づく把持性の著しい向上が図られている。これを説明するべく、膨出部１６の特徴的構成が図６に詳細に示される。なお図６では、説明の便宜上、把持部１０を、膨出部１６の位置する箇所の断面とともに模式的に示している。図６に示すように、本実施形態に係るカッターナイフ１ないしホルダ２を作業者が手Ｈで把持した場合、その掌凹部ＰＶに対して、把持部１０の突状曲面部１５における膨出部１６が略面接触状に密着して当接することになる。とりわけ図１、図２に示す母指線ＰＬ１、近位手掌線ＰＬ２、遠位手掌線ＰＬ３と交差する方向（すなわち図３に示す把持部１０においては長手方向ＬＤ１と交差する方向）に関して、膨出部１６が掌凹部ＰＶに極めて高度に密着することが可能とされ、人間工学的に優れた把持性能が付与されることになる。
【００４２】
なお突状曲面部１５は、図４に示すように、長手方向ＬＤ１において、膨出部１６から第１端部領域１１側に延在する第１突状曲面部１５Ａと、膨出部１６から第２端部領域１２側に延在する第２突状曲面部１５Ｂとに区分することができる。この場合、第１突状曲面部１５Ａの長さＬ１１は、膨出部１６から第１端部領域１１までの長さ（距離）Ｌ１２の略５０％〜略９０％の範囲で設定することが好ましい。本実施の形態では、７５％となるように設定されている。
【００４３】
また第２突状曲面部１５Ｂの長さＬ２１は、膨出部１６から第２端部領域１２までの長さＬ２２の略５０％〜略９０％の範囲で設定することが好ましい。本実施の形態では７５％となるように設定されている。
【００４４】
かかる構成により、膨出部１６が掌凹部ＰＶに面接触した状態において、作業者の手の構造に対して、より適合性の高い把持構造を確保することができる。すなわち第１突状曲面部１５Ａは、図２に示す作業者の把持状態の手において、掌凹部ＰＶから母指球側環状把持部Ｒ１までの領域に対して十分に面接触を維持することが可能となる（図２等も併せて参照）。一方、第２突状曲面部１５Ｂは、掌凹部ＰＶから小指球側環状把持部Ｒ２までの領域に対して十分に面接触を維持することが可能となる。
【００４５】
また図４に示すように、本実施の形態では、長手方向に対する第１突状曲面部１５Ａの傾斜角よりも、長手方向に対する第２突状曲面部１５Ｂの傾斜角が大きくなるように設定されている。これにより、膨出部１６が掌凹部ＰＶに面接触した状態において、把持状態とされた作業者の手の形状に、更に寄り添った把持構造を確保することができる。
【００４６】
（押圧部２１および第２指係止部２２の構成）
更に図３に示すように、把持部１０の第１端部領域１１には、押圧部２１および第２指係止部２２が形成されている。押圧部２１は、カッター刃５を用いて切断作業を遂行する場合に、作業者が手指でカッターナイフ１を作業対象へと押圧するための領域として定義される。作業者は、典型的には、第１指Ｆ１で押圧部２１を押圧する使用形態をとることが想定されるが、他の指（例えば第２指Ｆ２）あるいは別の手指によって押圧する態様も好適に包含されるものである。また第２指係止部２２は、カッター刃５を用いて切断作業を遂行する場合に、作業者の第２指Ｆ２を係止して作業を遂行し易くするための領域として定義される。本実施の形態では、第２指係止部２２は、作業者の第２指Ｆ２を係止する使用形態を想定しているが、もちろん、実際の作業において別の指を係止することを妨げるものではない。
【００４７】
（第２端部領域側把持領域の構成を中心として）
さらに把持部１０は、図３，４に示すように、長手方向ＬＤ１における第２端部領域１２において、第２端部領域側把持領域２３およびスクレーパ３１を有する。第２端部領域側把持領域２３は、図３に示すカッター刃５を用いた切断作業の際に、図２に示す作業者の小指球側環状把持部Ｒ２に当接する側の把持領域として定義される（これについては、併せて図７参照）。
【００４８】
そして第２端部領域側把持部２３は、カッター刃５を用いた切断作業の際に、図２に示す作業者の小指球側環状把持部Ｒ２の長さ寸法に概ね対応しており、把持状態における作業者の第５指Ｆ５が、小指球ＰＨ２に接触または近接可能な寸法設定とされている。
【００４９】
（スクレーパ使用の際の当接円滑化処理領域２４の構成）
また、図３に示すカッターナイフ１を、長手方向ＬＤ１に関して前後逆に把持して、スクレーパ３１を使用する状態が図８に示される。図８に示すように、第２端部領域１２（ないし第２端部領域側把持領域２３）には、無用な突出部や成形時のバリ等が削除された平滑面が形成されている。この平滑面は、スクレーパ３１を使用する際に、作業者の作業進行を阻害されないように設定された「当接円滑化処理領域２４」を構成する。換言すれば、「本発明に係るカッターナイフのホルダであって、第２端部領域ないし第２端部側把持領域には、スクレーパが用いられる場合に作業者の手指の当接箇所に対応して当接円滑化処理領域」という構成が採用されている。
当接円滑化処理領域２４は、スクレーパ３１使用の際に、作業者の第１指Ｆ１での当接・押圧動作に対する阻害回避に有効とされる。
【００５０】
（スクレーパ３１の構成を中心として）
スクレーパ３１は、「へら」とも称呼される金属製の部材であり、刺突作業、ないし刺突および切断作業に供される。典型的な作業態様の一つとしては、テープ係止された段ボール収容箱につき、当該テープを刺突してスクレーパ３１を段ボール収容箱の内側に進入させるとともに、その状態で当該スクレーパ３１を引き操作することで、上記テープを切断し、これによって収容箱の開扉を可能とする作業がこれに該当する。
【００５１】
（スクレーパ３１の先端突出部３２の構成）
図３に示すように、かかる刺突作業、ないし刺突と併せて切断作業を遂行可能とするべくスクレーパ３１の自由端側には、先端突出部３２が形成されている。
【００５２】
先端突出部３２を介して刺突作業を行う場合、当該先端突出部３２を鋭利にし過ぎることで、刺突性能をあまりに上げると、作業中に商品等を不用意に傷つける可能性がある。逆に、刺突性能を下げると、今度は作業性自体が低下してしまう。かかる極端な鋭利性回避と、鋭利性回避に起因する作業性低下のトレードオフの解決策として、先端突出部３２について、略Ｒ＝２．０〜２．５の範囲内のいずれかの曲率を有するように構成することが好ましい。とくに先端突出部３２を、略Ｒ＝２．１〜２．４の範囲内のいずれかの曲率を有するように構成することで上記問題の解決が一層確実に図られる。本実施の形態では、先端突出部の曲率（図３参照）は、一例としてＲ２．３に設定されている。
【００５３】
同様の観点から、スクレーパ３１の先端突出部３２は、略θ２＝４０°〜６０°の範囲内のいずれかの傾斜角を有するように構成することが好ましい。さらに先端突出部３２につき、略θ２＝４４°〜５６°の範囲内のいずれかの傾斜角を有するように構成することで上記問題の解決が一層確実に図られる。本実施の形態では、先端突出部３２の突出角度θ２（図３参照）は、一例として５０°に設定されている。
【００５４】
（第２端部領域１２におけるスクレーパ３１と第２端部側把持領域２３の両立性）
なお本実施形態に係るカッターナイフ１では、第２端部領域１２にスクレーパ３１を配置する一方、当該第２端部領域１２の寸法を適宜に設定することで、スクレーパ３１による作業時に求められる強度剛性が適切に確保されている。一方、第２端部領域１２に形成された第２端部側把持領域２３については、図７に示すように、カッター刃５を用いた切断作業の際に、作業者の小指球側環状把持部Ｒ２の長さ寸法に概ね対応させて、把持状態における作業者の第５指Ｆ５が、小指球ＰＨ２に接触または近接可能な寸法設定とされている。すなわち、第２端部領域１２は、スクレーパ３１による作業のための強度剛性確保と、カッター刃５による作業の際の把持性向上という、双方側の要請を両立させた構成とされている。
【００５５】
（実施形態における作用・効果）
本実施の形態に係るカッターナイフ１、およびそのホルダ２は、上記のように構成される。とりわけ、膨出部１６の曲率Ｒおよび膨出角度θ１に関する創意工夫がなされることで、図６に示すように、本実施形態に係るカッターナイフ１ないしホルダ２を作業者が手Ｈで把持した状態で切断作業を遂行する場合、その掌凹部ＰＶに対して、膨出部１６が略面接触状に密着して当接することになり、人間工学的に優れた把持性能がカッターナイフ１およびホルダ２に付与される。
【００５６】
すなわち作業者は、ホルダ２を自然に把持すれば、その状態でホルダ２の確実な把持が可能であり、把持のために余計な注意を払うことなく、押圧部２１に指圧をかけて切断作業に集中することができる。これによりストレスフリーな作業環境が確保されることになる。かかる人間工学訴求式の実施形態は、とくに強度の作業ないし長時間の作業が求められ易いプロフェッショナルユースの領域においても、十分にその効果を奏することができる。
【００５７】
また上記したように、第２端部領域側把持部２３は、カッター刃５を用いた切断作業の際に、図２に示す作業者の小指球側環状把持部Ｒ２の長さ寸法に概ね対応して構成されている。このため、図７に示すカッター刃５による切断作業に際して、作業者は、小指球側環状領域Ｒ２を第２端部側把持領域２３に密着させた状態で、かつ第５指Ｆ５側の握力をしっかり働かせながら把持部１０を持つことができ、把持性の一層の向上が図られる。
【００５８】
さらに切断作業に際して、作業者は第２指Ｆ２を第２指係止部２２に係止させた状態にて、第１指Ｆ１による指圧を押圧２１に安定的に作用させることができる（図７参照）。
これらの相乗効果により、把持性および作業性の最大効率化が図られることになる。
【００５９】
一方、図８に示すように、本実施形態に係るカッターナイフ１を、長手方向ＬＤ１に関して前後逆に把持し、スクレーパ３１を用いて作業する場合、上記した第２端部領域１２ないし第２端部領域側把持領域２３が前方側端部に位置することになるが、把持部１０における膨出部１６（図４および図５も併せて参照）は、図８に示すスクレーパ作業を遂行する場合には、把持部１０を前後逆に把持した状態の手Ｈ、ないし第１指Ｆ１〜第５指Ｆ５に対し、無用な作業障害物とならないように、手指当接回避領域３３に位置するように構成されている。また上記した当接円滑化処理領域２４が前方側に位置することになり、スクレーパ作業を行う作業者の第１指Ｆ１に対して作業阻害が生じることなく、円滑な作業が担保されることになる。すなわち、本実施形態に係るカッターナイフ１ないしホルダ２によれば、図７に示すカッター刃５を用いた切断作業のみならず、図８に示すスクレーパ３１を用いた刺突ない刺突・切断作業においても、人間工学的視点に立脚して、作業者の作業性および疲労抑制性に優れた作業環境を提供することができる。
【図面の簡単な説明】
【００６０】
【図１】作業者が手Ｈを開いて掌を向けた状態の模式的構造を示す・
【図２】カッターナイフ把持のため手指を曲折した状態の作業者の手Ｈを模式的に示す。
【図３】本発明の実施形態に係るカッターナイフ１およびホルダ２の全体構成を示す正面模式図である。
【図４】本発明の実施形態に係るカッターナイフ１およびホルダ２を上面から視た状態を示す平面模式図である。
【図５】ホルダ２の特徴的構造を示す断面模式図である。
【図６】ホルダ２の特徴的構造を示す斜視模式図である。
【図７】本発明の実施形態に係るカッターナイフ１を切断作業に供するために把持した状態を示す模式図である。
【図８】本発明の実施形態に係るカッターナイフ１をスクレーパ作業に供するために前後逆に把持した状態を示す模式図である。
【符号の説明】
【００６１】
１    カッターナイフ  
２    ホルダ
３    刃収容部  
４    ラッチ
５    カッター刃    
６    スライダ    
７    係合部    
１０  把持部
１１  第１端部領域  
１２  第２端部領域    
１３  中間領域    
１４  長尺体  
１５  突状曲面部    
１６  膨出部    
１７  把持溝部
２１  押圧部    
２２  第２指係止部    
２３  第２端部領域側把持領域    
２４  当接円滑化処理領域    
３１  スクレーパ    
３２  先端突出部    
３３  手指当接回避領域
ＬＤ１  長手方向
Ｃ  把持部中央領域
Ｈ  作業者の手
ＰＬ１  母指線（母指球皮線、生命線）
ＰＬ２  近位手掌線（近位手掌皮線、知能線）
ＰＬ３  遠位手掌線（遠位手掌皮線、感情線）
ＰＨ１  母指球
ＰＨ２  小指球
ＰＶ    掌凹部
Ｆ１    第１指（母指、親指）
Ｆ２    第２指（示指、人差し指）
Ｆ３    第３指（中指）
Ｆ４    第４指（薬指、環指）
Ｆ５    第５指（小指）
Ｒ１  把持状態における第２指と母指球が形成する母指球側環状把持部
Ｒ２  把持状態における第５指と小指球が形成する小指球側環状把持部